(57)【要約】【課題】高解像度において画品位の低下を抑制することの可能な発光装置および電子機器を提供する。【解決手段】本開示の一実施の形態に係る発光装置は、発光色の互いに異なる複数の副画素からなる複数の画素と、所定の間隙を介して各副画素と対向する位置に開口幅の互いに異なる複数の開口部が設けられた遮光膜とを備えている。各開口部の、第１方向および第２方向における開口幅は、各副画素から発せられた光の一部が遮光膜によって遮られることに起因して４５°輝度視野角（ｃｄ／ｍ2）が第１方向および第２方向において互いに異なる大きさとなるような大きさとなっている。各開口部の、第１方向および第２方向における開口幅は、さらに、４５°色度視野角（ｕ’ｖ’）の、第１方向および第２方向における色差（Δｕ’ｖ’）が０．０２０以下となるような大きさとなっている。【選択図】図６
2020021619.tif 000002
【特許請求の範囲】
【請求項１】
複数の副画素からなる複数の画素を備え、
各前記副画素は、
発光色の互いに異なる複数の発光素子と、
所定の間隙を介して各前記発光素子と対向する位置に開口幅の互いに異なる複数の開口部が設けられた遮光膜と
を有し、
各前記開口部の、第１方向および第２方向における開口幅は、各前記発光素子から発せられた光の一部が前記遮光膜によって遮られることに起因して４５°輝度視野角（ｃｄ／ｍ2）が前記第１方向および前記第２方向において互いに異なる大きさとなっており、かつ、４５°色度視野角（ｕ’ｖ’）の、前記第１方向および前記第２方向における色差（Δｕ’ｖ’）が０．０２０以下となるような大きさとなっている
発光装置。
【請求項２】
各前記開口部の、前記第１方向および前記第２方向における開口幅は、前記色差が０．００４以下となるような大きさとなっている
請求項１に記載の発光装置。
【請求項３】
各前記開口部の、前記第１方向および前記第２方向における開口幅は、４５°輝度視野角の、以下の式により求められる輝度差ΔＬがいずれかの発光色において３％を超えるような大きさとなっている
請求項１または請求項２に記載の発光装置。
ΔＬ＝（（Ｌｍａｘ−Ｌｍｉｎ）／Ｌｍａｘ）×１００
Ｌｍａｘ：前記第１方向の４５°輝度視野角および前記第２方向の４５°輝度視野角のうち大きい方の値
Ｌｍｉｎ：前記第１方向の４５°輝度視野角および前記第２方向の４５°輝度視野角のうち小さい方の値
【請求項４】
各前記発光素子は、塗布膜によって構成された有機発光層を有する
請求項１から請求項３のいずれか一項に記載の発光装置。
【請求項５】
複数の前記開口部の、前記第１方向および前記第２方向のピッチが一定となっている
請求項１から請求項４のいずれか一項に記載の発光装置。
【請求項６】
複数の前記発光素子を、前記第１方向において区画するとともに、前記第１方向の前記素子幅を規定する画素規制部を更に備えた
請求項１から請求項５のいずれか一項に記載の発光装置。
【請求項７】
複数の前記画素の解像度は、１００ｐｐｉ以上となっている
請求項１から請求項６のいずれか一項に記載の発光装置。
【請求項８】
発光装置を表示装置として備え、
前記発光装置は、複数の副画素からなる複数の画素を有し、
各前記副画素は、
発光色の互いに異なる複数の発光素子と、
所定の間隙を介して各前記発光素子と対向する位置に開口幅の互いに異なる複数の開口部が設けられた遮光膜と
を有し、
各前記開口部の、第１方向および第２方向における開口幅は、各前記発光素子から発せられた光の一部が前記遮光膜によって遮られることに起因して４５°輝度視野角（ｃｄ／ｍ2）が前記第１方向および前記第２方向において互いに異なる大きさとなっており、かつ、４５°色度視野角（ｕ’ｖ’）の、前記第１方向および前記第２方向における色差（Δｕ’ｖ’）が０．０２０以下となるような大きさとなっている
電子機器。
【発明の詳細な説明】
【技術分野】
【０００１】
本開示は、発光装置および電子機器に関する。
【背景技術】
【０００２】
有機ＥＬ（electro-luminescence）などの自発光素子を画素ごとに備えた表示装置において、色再現範囲を広く、また外光反射を抑えるために、ブラックマトリクスを用いたカラーフィルタを採用する場合がある（特許文献１参照）。
【先行技術文献】
【特許文献】
【０００３】
【特許文献１】特開２０１１−４０３５２号公報
【発明の概要】
【発明が解決しようとする課題】
【０００４】
ところで、上述の表示装置において、高解像度化に伴い、斜め方向から観察したときの画品位の低下を抑制することが望まれている。従って、高解像度において画品位の低下を抑制することの可能な発光装置および電子機器を提供することが望ましい。
【課題を解決するための手段】
【０００５】
本開示の一実施の形態に係る発光装置は、複数の副画素からなる複数の画素を備えている。各副画素は、発光色の互いに異なる複数の発光素子と、所定の間隙を介して各発光素子と対向する位置に開口幅の互いに異なる複数の開口部が設けられた遮光膜とを有している。各開口部の、第１方向および第２方向における開口幅は、各発光素子から発せられた光の一部が遮光膜によって遮られることに起因して４５°輝度視野角（ｃｄ／ｍ2）が第１方向および第２方向において互いに異なる大きさとなるような大きさとなっている。各開口部の、第１方向および第２方向における開口幅は、さらに、４５°色度視野角（ｕ’ｖ’）の、第１方向および第２方向における色差（Δｕ’ｖ’）が０．０２０以下となるような大きさとなっている。
【０００６】
本開示の一実施の形態に係る電子機器は、上記発光装置を表示装置として備えている。
【０００７】
本開示の一実施の形態に係る発光装置および電子機器では、遮光膜の各開口部の、第１方向および第２方向における開口幅は、各発光素子から発せられた光の一部が遮光膜によって遮られることに起因して４５°輝度視野角（ｃｄ／ｍ2）が第１方向および第２方向において互いに異なる大きさとなるような大きさとなっている。各開口部の、第１方向および第２方向における開口幅は、さらに、４５°色度視野角（ｕ’ｖ’）の、第１方向および第２方向における色差が０．０２０以下となるような大きさとなっている。これにより、遮光膜の各開口部を小さくした場合に、遮光膜によるケラレ（遮光）が発生したときであっても、色ずれを低減することができる。
【発明の効果】
【０００８】
本開示の一実施の形態に係る発光装置および電子機器によれば、遮光膜の各開口部を小さくした場合に、遮光膜によるケラレ（遮光）が発生したときであっても、色ずれを低減することができるようにしたので、高解像度において画品位の低下を抑制することができる。
【図面の簡単な説明】
【０００９】
【図１】本開示の一実施の形態に係る発光装置の概略構成例を表す図である。
【図２】図１の各画素に含まれる１つの副画素の回路構成例を表す図である。
【図３】図１の発光パネルの概略構成例を表す図である。
【図４】積層パネルの、図３の発光パネルのＡ−Ａ線に対応する箇所での断面構成例を表す図である。
【図５】積層パネルの、図３の発光パネルのＢ−Ｂ線に対応する箇所での断面構成例を表す図である。
【図６】積層パネルの、図３の発光パネルのＡ−Ａ線に対応する箇所での断面構成例を表す図である。
【図７】積層パネルの、図３の発光パネルのＢ−Ｂ線に対応する箇所での断面構成例を表す図である。
【図８】積層パネルの、図３の発光パネルのＣ−Ｃ線に対応する箇所での断面構成例を表す図である。
【図９】積層パネルの、図３の発光パネルのＤ−Ｄ線に対応する箇所での断面構成例を表す図である。
【図１０】積層パネルの上面構成例を表す図である。
【図１１】比較例に係る積層パネルの視野角と色変化との関係の一例を表す図である。
【図１２】比較例に係る積層パネルにおける輝度視野角の一例を表す図である。
【図１３】比較例に係る積層パネルにおける４５°色視野角の等高線マップの一例を表す図である。
【図１４】実施例に係る積層パネルの視野角と色変化との関係の一例を表す図である。
【図１５】実施例に係る積層パネルにおける４５°色視野角の等高線マップの一例を表す図である。
【図１６】本開示の発光装置を備えた電子機器の外観の一例を斜視的に表す図である。
【図１７】本開示の発光素子を備えた照明装置の外観の一例を斜視的に表す図である。
【発明を実施するための形態】
【００１０】
以下、本開示を実施するための形態について、図面を参照して詳細に説明する。以下に説明する実施の形態は、いずれも本開示の好ましい一具体例を示すものである。したがって、以下の実施の形態で示される数値、形状、材料、構成要素、構成要素の配置位置及び接続形態などは、一例であって本開示を限定する主旨ではない。よって、以下の実施の形態における構成要素のうち、本開示の最上位概念を示す独立請求項に記載されていない構成要素については、任意の構成要素として説明される。なお、各図は、模式図であり、必ずしも厳密に図示されたものではない。また、各図において、実質的に同一の構成に対しては同一の符号を付しており、重複する説明は省略又は簡略化する。
【００１１】
＜１．実施の形態＞
[構成]
図１は、本開示の一実施の形態に係る発光装置１の概略構成例を表したものである。図２は、発光装置１に設けられた各画素１１に含まれる１つの副画素１２の回路構成の一例を表したものである。発光装置１は、発光パネル１０、対向パネル４０、コントローラ２０およびドライバ３０を備えている。発光パネル１０および対向パネル４０は、互いに重ね合わされており、積層パネルを構成している。ドライバ３０は、例えば、発光パネル１０の外縁部分に実装されている。発光パネル１０は、行列状に配置された複数の画素１１を有している。コントローラ２０およびドライバ３０は、外部から入力された映像信号Ｄｉｎおよび同期信号Ｔｉｎに基づいて、発光パネル１０（複数の画素１１）を駆動する。
【００１２】
（発光パネル１０）
発光パネル１０は、コントローラ２０およびドライバ３０によって各画素１１がアクティブマトリクス駆動されることにより、外部から入力された映像信号Ｄｉｎおよび同期信号Ｔｉｎに基づく画像を表示する。発光パネル１０は、行方向に延在する複数の走査線ＷＳＬと、列方向に延在する複数の信号線ＤＴＬおよび複数の電源線ＤＳＬとを有している。発光パネル１０および対向パネル４０によって構成された積層パネル（以下、単に「積層パネル」と称する。）は、行列状に配置された複数の画素１１を有している。複数の画素１１は、走査線ＷＳＬおよび信号線ＤＴＬの交点に対応して設けられている。
【００１３】
走査線ＷＳＬは、各画素１１の選択に用いられるものであり、各画素１１を所定の単位（例えば画素行）ごとに選択する選択パルスを各画素１１に供給するものである。信号線ＤＴＬは、映像信号Ｄｉｎに応じた信号電圧Ｖｓｉｇの、各画素１１への供給に用いられるものであり、信号電圧Ｖｓｉｇを含むデータパルスを各画素１１に供給するものである。電源線ＤＳＬは、各画素１１に電力を供給するものである。
【００１４】
各画素１１は、例えば、赤色光を発する副画素１２Ｒ、緑色光を発する副画素１２Ｇ、および青色光を発する副画素１２Ｂからなる。以下では、副画素１２Ｒ、副画素１２Ｇおよび副画素１２Ｂの総称として副画素１２と称するものとする。各画素１１は、カラー画像の表示単位を構成している。なお、各画素１１には、例えば、さらに、他の色（例えば、白色や、黄色など）を発する副画素１２が含まれていてもよい。また、各画素１１には、例えば、同色の複数の副画素１２（例えば、緑色光を発する２つの副画素１２）が含まれていてもよい。各画素１１において、複数の副画素１２は、所定の方向（例えば、行方向）に一列に並んで配置されている。
【００１５】
各信号線ＤＴＬは、後述の水平セレクタ３１の出力端に接続されている。各画素列には、例えば、複数の信号線ＤＴＬが１本ずつ、割り当てられている。各走査線ＷＳＬは、後述のライトスキャナ３２の出力端に接続されている。各画素行には、例えば、複数の走査線ＷＳＬが１本ずつ、割り当てられている。各電源線ＤＳＬは、電源の出力端に接続されている。各画素行には、例えば、複数の電源線ＤＳＬが１本ずつ、割り当てられている。
【００１６】
各副画素１２は、画素回路１２−１と、発光素子１２−２とを有している。発光素子１２−２の構成については、後に詳述する。
【００１７】
画素回路１２−１は、発光素子１２−２の発光・消光を制御する。画素回路１２−１は、後述の書込走査によって各副画素１２に書き込んだ電圧を保持する機能を有している。画素回路１２−１は、例えば、駆動トランジスタＴｒ１、書込トランジスタＴｒ２および保持容量Ｃｓを含んで構成されている。
【００１８】
書込トランジスタＴｒ２は、駆動トランジスタＴｒ１のゲートに対する、映像信号Ｄｉｎに対応した信号電圧Ｖｓｉｇの印加を制御する。具体的には、書込トランジスタＴｒ２は、信号線ＤＴＬの電圧をサンプリングするとともに、サンプリングにより得られた電圧を駆動トランジスタＴｒ１のゲートに書き込む。駆動トランジスタＴｒ１は、発光素子１２−２に直列に接続されている。駆動トランジスタＴｒ１は、発光素子１２−２を駆動する。駆動トランジスタＴｒ１は、書込トランジスタＴｒ２によってサンプリングされた電圧の大きさに応じて発光素子１２−２に流れる電流を制御する。保持容量Ｃｓは、駆動トランジスタＴｒ１のゲート−ソース間に所定の電圧を保持するものである。保持容量Ｃｓは、所定の期間中に駆動トランジスタＴｒ１のゲート−ソース間電圧Ｖｇｓを一定に保持する役割を有する。なお、画素回路１２−１は、上述の２Ｔｒ１Ｃの回路に対して各種容量やトランジスタを付加した回路構成となっていてもよいし、上述の２Ｔｒ１Ｃの回路構成とは異なる回路構成となっていてもよい。
【００１９】
各信号線ＤＴＬは、後述の水平セレクタ３１の出力端と、書込トランジスタＴｒ２のソースまたはドレインとに接続されている。各走査線ＷＳＬは、後述のライトスキャナ３２の出力端と、書込トランジスタＴｒ２のゲートとに接続されている。各電源線ＤＳＬは、電源回路と、駆動トランジスタＴｒ１のソースまたはドレインに接続されている。
【００２０】
書込トランジスタＴｒ２のゲートは、走査線ＷＳＬに接続されている。書込トランジスタＴｒ２のソースまたはドレインが信号線ＤＴＬに接続されている。書込トランジスタＴｒ２のソースおよびドレインのうち信号線ＤＴＬに未接続の端子が駆動トランジスタＴｒ１のゲートに接続されている。駆動トランジスタＴｒ１のソースまたはドレインが電源線ＤＳＬに接続されている。駆動トランジスタＴｒ１のソースおよびドレインのうち電源線ＤＳＬに未接続の端子が発光素子１２−２の陽極２１に接続されている。保持容量Ｃｓの一端が駆動トランジスタＴｒ１のゲートに接続されている。保持容量Ｃｓの他端が駆動トランジスタＴｒ１のソースおよびドレインのうち発光素子１２−２側の端子に接続されている。
【００２１】
（ドライバ３０）
ドライバ３０は、例えば、水平セレクタ３１およびライトスキャナ３２を有している。水平セレクタ３１は、例えば、制御信号の入力に応じて（同期して）、コントローラ２０から入力されたアナログの信号電圧Ｖｓｉｇを、各信号線ＤＴＬに印加する。ライトスキャナ３２は、複数の画素１１を所定の単位ごとに走査する。
【００２２】
（コントローラ２０）
次に、コントローラ２０について説明する。コントローラ２０は、例えば、外部から入力されたデジタルの映像信号Ｄｉｎに対して所定の補正を行い、それにより得られた映像信号に基づいて、信号電圧Ｖｓｉｇを生成する。コントローラ２０は、例えば、生成した信号電圧Ｖｓｉｇを水平セレクタ３１に出力する。コントローラ２０は、例えば、外部から入力された同期信号Ｔｉｎに応じて（同期して）、ドライバ３０内の各回路に対して制御信号を出力する。
【００２３】
次に、図３〜図５を参照して、発光素子１２−２について説明する。図３は、発光パネル１０の表示領域１０Ａの平面構成例を表したものである。表示領域１０Ａは、発光パネル１０において映像を表示する領域である。図４、図５は、発光パネル１０および対向パネル４０の断面構成例を表したものである。図４には、図３の発光パネル１０のＡ−Ａ線に対応する箇所の断面構成例が示されている。図５には、図３の発光パネル１０のＢ−Ｂ線に対応する箇所の断面構成例が示されている。
【００２４】
積層パネルは、行列状に配置された複数の画素１１を有している。積層パネルに設けられた各画素１１には、上述したように、副画素１２Ｒ、副画素１２Ｂおよび副画素１２Ｂが含まれている。なお、各画素１１には、例えば、上述したように、さらに、他の色（例えば、白色や、黄色など）を発する副画素１２が含まれていてもよい。また、各画素１１には、例えば、同色の複数の副画素１２（例えば、緑色光を発する２つの副画素１２Ｇ）が含まれていてもよい。
【００２５】
副画素１２Ｒは、赤色の光を発する発光素子１２−２（１１ｒ）を含んで構成されている。副画素１２Ｇは、緑色の光を発する発光素子１２−２（１１ｇ）を含んで構成されている。副画素１２Ｂは、青色の光を発する発光素子１２−２（１１ｂ）を含んで構成されている。副画素１２Ｒ，１２Ｇ，１２Ｂは、ストライプ配列となっており、色ごとに行方向に並んで配置されている。各画素行において、同一色の光を発する複数の副画素１２が、列方向に並んで配置されている。
【００２６】
複数の発光素子１２−２は、行方向に等ピッチで配置されるとともに、列方向にも等ピッチで配置されている。複数の発光素子１２−２の、行方向のピッチ、および複数の発光素子１２−２の、列方向のピッチは、それぞれ、一定となっている。複数の発光素子１２−２の、行方向のピッチは、複数の発光素子１２−２の、列方向のピッチよりも狭くなっており、例えば、複数の発光素子１２−２の、列方向のピッチの１／３程度となっている。複数の発光素子１２−２の解像度（行方向のピッチ）は、例えば、１００ｐｐｉ以上、１２０ｐｐｉ以上、もしくは１５０ｐｐｉ以上となっている。
【００２７】
なお、複数の発光素子１２−２の解像度（行方向のピッチ）が１００ｐｐｉ未満となっている場合には、ブラックマトリクス４２でのケラレ（遮光）をなくすことで、色度視野角（ｕ’ｖ’）の、視認方向によるズレを補正することができる。一方、本実施の形態では、ブラックマトリクス４２でのケラレ（遮光）をなくすことがそもそも難しい精細度が想定されている。そのような精細度の範囲として、上述したように、１００ｐｐｉ以上、１２０ｐｐｉ以上、もしくは１５０ｐｐｉ以上が挙げられる。このように、本実施の形態では、ブラックマトリクス４２でのケラレ（遮光）をなくすことがそもそも難しいという、低精細のときには起こり得ない状況が前提となっている。その前提において、いかにして、色度視野角（ｕ’ｖ’）の、視認方向によるズレを補正するかが、本実施の形態における主題となっている。なお、精細度の範囲が、上述したように、１００ｐｐｉ以上、１２０ｐｐｉ以上、もしくは１５０ｐｐｉ以上と段階的になっているのは、精細度が上がるにつれて、色度視野角（ｕ’ｖ’）の、視認方向によるズレが大きくなり、仕様によって、色度視野角（ｕ’ｖ’）の、視認方向によるズレの許容範囲が異なるためである。
【００２８】
発光パネル１０は、基板１６を有している。基板１６は、例えば、各発光素子１２−２および絶縁層１３などを支持する基材１６Ａと、基材１６Ａ上に設けられた配線層１６Ｂとによって構成されている。基材１６Ａは、例えば、透明基板等の光透過性を有する透光基板である。基材１６Ａは、例えば、無アルカリガラス、ソーダガラス、無蛍光ガラス、燐酸系ガラス、硼酸系ガラスまたは石英などによって形成されている。基材１６Ａは、例えば、アクリル系樹脂、スチレン系樹脂、ポリカーボネート系樹脂、エポキシ系樹脂、ポリエチレン、ポリエステル、シリコーン系樹脂、またはアルミナなどによって形成されていてもよい。配線層１６Ｂには、例えば、各画素１１の画素回路１１−１が形成されており、各副画素１２の画素回路１２−１を埋め込む平坦化膜が形成されている。基板１６の形状は、例えば、方形状となっている。
【００２９】
発光パネル１０は、さらに、基板１６上に絶縁層１３を有している。絶縁層１３は、各副画素１２を区画するためのものである。絶縁層１３の厚さの上限は、膜厚ばらつき、ボトム線幅の制御の観点から製造上形状制御の可能な範囲内となっていることが好ましく、１０μｍ以下となっていることが好ましい。また、絶縁層１３の厚さの上限は、露光工程での露光時間増大によるタクト増加を抑え、量産工程での生産性低下を抑えることの可能な範囲内となっていることがより好ましく、７μｍ以下となっていることがより好ましい。また、絶縁層１３の厚さの下限は、膜厚が薄くなるとともにボトム線幅を膜厚とほぼ同程度に補足する必要があることから、露光機および材料の解像度限界により決定される。絶縁層１３の厚さの下限は、半導体ステッパーを用いる場合には、１μｍ以上となっていることが好ましく、フラットパネル用のステッパーおよびスキャナーを用いる場合には、２μｍ以上となっていることが好ましい。従って、絶縁層１３の厚さは、１μｍ以上１０μｍ以下となっていることが好ましく、２μｍ以上７μｍ以下となっていることがより好ましい。
【００３０】
絶縁層１３は、複数の列規制部１３Ａおよび複数の行規制部１３Ｂを有している。複数の列規制部１３Ａおよび複数の行規制部１３Ｂによって、各副画素１２が区画されている。図３において、黒く塗られた箇所が行規制部１３Ｂであり、灰色に塗られた箇所が列規制部１３Ｂである。列規制部１３Ａが、本開示の「画素規制部」の一具体例に相当する。
【００３１】
各列規制部１３Ａは列方向（第２方向）に延在しており、各行規制部１３Ｂは列規制部１３Ａと直交する行方向（第１方向）に延在している。複数の列規制部１３Ａは、列方向に延在するとともに、行方向に所定の間隙を介して並列配置されている。列規制部１３Ａは、行方向に隣接する２つの副画素１２を区画する。複数の行規制部１３Ｂは、行方向に延在するとともに、列方向に所定の間隙を介して並列配置されている。複数の列規制部１３Ａおよび複数の行規制部１３Ｂは、互いに交差（例えば直交）しており、格子状のレイアウトとなっている。各副画素１２は、互いに隣接する２つの列規制部１３Ａと、互いに隣接する２つの行規制部１３Ｂとによって囲まれている。従って、各副画素１２は、列規制部１３Ａおよび行規制部１３Ｂによって区画されている。
【００３２】
絶縁層１３は、互いに隣接する２つの列規制部１３Ａと、互いに隣接する２つの行規制部１３Ｂとによって囲まれた領域内に開口部１３Ｈを有している。各開口部１３Ｈの底面には、後述の陽極２１の表面が露出している。そのため、各開口部１３Ｈの底面に露出した陽極２１から供給される正孔と、後述の陰極２７から供給される電子とが、発光層２４（後述）で再結合することにより、発光層２４で発光が生じる。従って、発光層２４のうち、開口部１３Ｈと対向する領域が、発光領域２４Ａとなる。つまり、列規制部１３Ａが、行方向の発光素子１２−２の幅（素子幅）を規定し、行規制部１３Ｂが、列方向の発光素子１２−２の幅（素子幅）を規定する。
【００３３】
絶縁層１３に設けられた複数の開口部１３Ｈの、行方向のピッチ、および複数の開口部１３Ｈの、列方向のピッチは、それぞれ、一定となっている。複数の開口部１３Ｈの、行方向のピッチは、複数の発光素子１２−２の、行方向のピッチと等しくなっている。複数の開口部１３Ｈの、列方向のピッチは、複数の発光素子１２−２の、列方向のピッチと等しくなっている。複数の開口部１３Ｈの、行方向のピッチは、複数の開口部１３Ｈの、列方向のピッチよりも狭くなっており、例えば、複数の開口部１３Ｈの、列方向のピッチの１／３程度となっている。
【００３４】
発光領域２４Ａの大きさは、副画素１２Ｒ，１２Ｇ，１２Ｂごとに異なっている。副画素１２Ｒにおける発光領域２４Ａの大きさは、副画素１２Ｇにおける発光領域２４Ａの大きさよりも大きくなっている。また、副画素１２Ｇにおける発光領域２４Ａの大きさは、副画素１２Ｂにおける発光領域２４Ａの大きさよりも大きくなっている。これらは、後述するマイクロキャビティの影響により、発光層２４の膜厚が共振条件から外れている部分の光を外部に取り出すことができないことに起因している。
【００３５】
行規制部１３Ｂの高さ（基板１６からの高さ）は、例えば、図４、図５に示したように、列規制部１３Ａの高さ（基板１６からの高さ）よりも低くなっている。行規制部１３Ｂの高さ（基板１６からの高さ）は、例えば、発光素子１２−２における陽極２１および陰極２７の距離の半分以下の高さとなっている。このとき、列方向に並ぶ複数の副画素１２は、これらの副画素１２の左右に配置された２つの列規制部１３Ａによって形成された帯状の溝部１４の中に配置されており、例えば、塗布膜で構成される層（例えば、後述の正孔注入層２２、正孔輸送層２３および発光層２４）を互いに共有している。列方向に並ぶ複数の副画素１２は、例えば、図４、図５に示したように、列規制部１３Ａに沿って配置されている。
【００３６】
絶縁層１３は、例えば、絶縁性の有機材料によって形成されている。絶縁性の有機材料としては、例えば、アクリル系樹脂、ポリイミド系樹脂、ノボラック型フェノール樹脂などが挙げられる。絶縁層１３は、例えば、耐熱性、溶媒に対する耐性を持つ絶縁性樹脂によって形成されていることが好ましい。列規制部１３Ａおよび行規制部１３Ｂは、例えば、絶縁性樹脂をフォトリソグラフィおよび現像によって所望のパターンに加工することによって形成される。列規制部１３Ａの断面形状は、例えば、図４に示したような順テーパ型となっている。行規制部１３Ｂの断面形状は、例えば、図５に示したような順テーパ型となっている。
【００３７】
互いに平行で、かつ互いに隣接する２つの列規制部１３Ａによって囲まれた領域が、溝部１４になっている。各列規制部１３Ａの表面は、各行規制部１３Ｂの表面と比べて相対的に撥液性を有している。そのため、各列規制部１３Ａは、例えば、正孔注入層２２、正孔輸送層２３および発光層２４を塗布法により形成する際に、インクが、隣接する他の溝部１４の内に流れ込むのを防止する。各列規制部１３Ａの撥液性は、樹脂自体の撥水性によって実現されていてもよいし、フッ素プラズマ処理等により樹脂表面に撥液性を付与することによって実現されていてもよい。各行規制部１３Ｂは、各列規制部１３Ａと比べて相対的に親液性を有している。そのため、各行規制部１３Ｂは、例えば、正孔注入層２２、正孔輸送層２３および発光層２４を塗布法により形成する際に、インクが溝１４内で濡れ広がるのを妨げない。各列規制部１３Ａと、各行規制部１３Ｂとは、例えば、互いに別のプロセスで形成されている。
【００３８】
各発光素子１２−２は、例えば、基板１６上に、陽極２１、正孔注入層２２、正孔輸送層２３、発光層２４、電子輸送層２５、電子注入層２６および陰極２７をこの順に備えた素子である。
【００３９】
発光素子１２−２は、例えば、発光層２４と、発光層２４を挟み込むように配置された、陽極２１および陰極２７を備えている。発光素子１２−２は、例えば、さらに、陽極２１と、発光層２４との間に、正孔注入層２２および正孔輸送層２３を陽極２１側からこの順に備えている。なお、正孔注入層２２および正孔輸送層２３のうち少なくとも一方が省略されていてもよい。発光素子１２−２は、例えば、さらに、発光層２４と、陰極２７との間に、電子輸送層２５および電子注入層２６を発光層２４側からこの順に備えている。なお、電子輸送層２５および電子注入層２６のうち少なくとも一方が省略されていてもよい。発光素子１２−２は、例えば、陽極２１、正孔注入層２２、正孔輸送層２３、発光層２４、電子輸送層２５、電子注入層２６および陰極２７を基板２１側からこの順に含んで構成された素子構造となっている。発光素子１２−２において、さらに他の機能層が含まれていてもよい。
【００４０】
正孔注入層２２は、正孔注入効率を高めるための層である。正孔輸送層２３は、陽極２１から注入された正孔を有機発光層２４へ輸送するための層である。発光層２４は、電子と正孔との再結合により、所定の色の光を発する層である。電子輸送層２５は、陰極２７から注入された電子を有機発光層２４へ輸送するための層である。電子注入層２６は、電子注入効率を高めるための層である。正孔注入層２２および電子注入層２６のうち少なくとも一方が省略されていてもよい。各発光素子１２−２は、上述以外の層をさらに有していてもよい。
【００４１】
陽極２１は、例えば、基板１６の上に形成されている。陽極２１は、例えば、アルミニウム（Ａｌ）、銀（Ａｇ）、アルミニウムもしくは銀の合金等、または、反射性を有する反射電極である。なお、陽極２１は、反射電極に限るものではなく、例えば、透光性を有する透明電極であってもよい。透明電極の材料としては、例えば、ＩＴＯ（Ｉｎｄｉｕｍ  Ｔｉｎ  Ｏｘｉｄｅ）又はＩＺＯ（Ｉｎｄｉｕｍ  Ｚｉｎｃ  Ｏｘｉｄｅ）等の透明導電性材料が挙げられる。陽極２１は、反射電極と透明電極とが積層されたものであってもよい。陽極２１の端縁は、例えば、絶縁層１４内に埋め込まれている。陽極２１の端縁が絶縁層１４内に埋め込まれている場合には、各開口１４Ａの大きさ（具体的には、各開口１４Ａの底面の大きさ）を変えることにより、画素１１のサイズ（面積）や、発光領域２４Ａのサイズ（面積）を調整することが可能となる。
【００４２】
陰極２７は、例えば、ＩＴＯ膜等の透明電極である。なお、陰極２７は、透明電極に限るものではなく、光反射性を有する反射電極であってもよい。反射電極の材料としては、例えば、アルミニウム（Ａｌ）、マグネシウム（Ｍｇ）、銀（Ａｇ）、アルミニウム−リチウム合金、マグネシウム−銀合金等が用いられる。本実施の形態において、基板１６及び陽極２１が反射性を有し、陰極２７が透光性を有している場合には、発光素子１２−２は、陰極２７側から光が放出するトップエミッション構造となっている。なお、本実施の形態において、基板１６及び陽極２１が透光性を有し、陰極２７が反射性を有している場合には、発光素子１２−２は、基板１６側から光が放出するボトムエミッション構造となっている。
【００４３】
正孔注入層２２は、導電性ポリマー材料などの有機材料によって形成されている。正孔注入層２２は、例えば、ＰＥＤＯＴ（ポリチオフェンとポリスチレンスルホン酸との混合物）などの導電性ポリマー材料の有機高分子溶液を、陽極２１上に塗布し乾燥させることにより形成されている。この場合、正孔注入層２２は、塗布膜によって構成されている。正孔輸送層２３が塗布で形成される場合、正孔注入層２２は、塗布溶液に対して不溶な材料によって形成されている。
【００４４】
正孔輸送層２３は、陽極２１から注入された正孔を発光層２４へ輸送する機能を有する。正孔輸送層２３は、例えば、塗布膜である。正孔輸送層２３は、例えば、陽極２１から注入された正孔を発光層２４へ輸送する機能を有する有機材料（以下、「正孔輸送性材料２３Ｍ」と称する。）を溶質の主成分とする溶液を塗布および乾燥することにより形成されている。正孔輸送層２３は、正孔輸送性材料２３Ｍを主成分として含んで構成されている。発光層２４が塗布で形成される場合、正孔輸送層２３は、塗布溶液に対して不溶な材料によって形成されている。
【００４５】
正孔輸送層２３の原料（材料）である正孔輸送性材料２３Ｍは、例えば、アリールアミン誘導体、トリアゾール誘導体、オキサジアゾール誘導体、イミダゾール誘導体、ポリアリールアルカン誘導体、ピラゾリン誘導体及びピラゾロン誘導体、フェニレンジアミン誘導体、アミノ置換カルコン誘導体、オキサゾール誘導体、スチリルアントラセン誘導体、フルオレノン誘導体、ヒドラゾン誘導体、スチルベン誘導体、ブタジエン化合物、ポリスチレン誘導体、ヒドラゾン誘導体、トリフェニルメタン誘導体、テトラフェニルベンジン誘導体等、または、これらの組み合わせからなる材料である。正孔注入層２２と正孔輸送層２３の各材料のＨＯＭＯ(最高被占軌道，Highest occupied molecular orbital)レベルの差異は、ホール注入性を考慮すると、０．５ｅＶ以下となっていることが好ましい。
【００４６】
発光層２４は、陽極２１から注入された正孔と、陰極２７から注入された電子とが、発光層２４内で再結合することで励起子が生成されて発光する層である。発光層２４は、例えば、塗布膜である。発光層２４は、正孔と電子との再結合により励起子を生成し発光する有機材料（以下、「有機発光材料２４Ｍ」と称する。）を溶質の主成分とする溶液の塗布および乾燥により形成されている。発光層２４は、有機発光材料２４Ｍを主成分として含んで構成されている。副画素１２Ｒに含まれる発光素子１２ｒでは、有機発光材料２４Ｍが赤色有機発光材料を含んで構成されている。副画素１２Ｇに含まれる発光素子１２ｇでは、有機発光材料２４Ｍが緑色有機発光材料を含んで構成されている。副画素１２Ｂに含まれる発光素子１２ｂでは、有機発光材料２４Ｍが青色有機発光材料を含んで構成されている。
【００４７】
発光層２４は、例えば、単層の有機発光層、または、積層された複数の有機発光層によって構成されている。発光層２４が積層された複数の有機発光層によって構成されている場合には、発光層２４は、例えば、主成分が互いに共通の複数の有機発光層を積層したものである。このとき、複数の有機発光層は、ともに、塗布膜である。複数の有機発光層は、ともに、有機発光材料２４Ｍを溶質の主成分とする溶液の塗布および乾燥により形成されている。
【００４８】
発光層２４の原料（材料）である有機発光材料２４Ｍは、例えば、ドーパント材料単独であってもよいが、より好ましくは、ホスト材料とドーパント材料との組み合わせがよい。つまり、発光層２４は、有機発光材料２４Ｍとして、ホスト材料およびドーパント材料を含んで構成されている。ホスト材料は、主に電子又は正孔の電荷輸送の機能を担っており、ドーパント材料は、発光の機能を担っている。ホスト材料およびドーパント材料は１種類のみに限られるものではなく、２種類以上の組み合わせであってもよい。ドーパント材料の量は、ホスト材料に対して、０．０１重量％以上３０重量％以下であるとよく、より好ましくは、０．０１重量％以上１０重量％以下である。
【００４９】
発光層２４のホスト材料としては、例えば、アミン化合物、縮合多環芳香族化合物、ヘテロ環化合物が用いられる。アミン化合物としては、例えば、モノアミン誘導体、ジアミン誘導体、トリアミン誘導体、テトラアミン誘導体が用いられる。縮合多環芳香族化合物としては、例えば、アントラセン誘導体、ナフタレン誘導体、ナフタセン誘導体、フェナントレン誘導体、クリセン誘導体、フルオランテン誘導体、トリフェニレン誘導体、ペンタセン誘導体、または、ペリレン誘導体等が挙げられる。ヘテロ環化合物としては、例えば、カルバゾール誘導体、フラン誘導体、ピリジン誘導体、ピリミジン誘導体、トリアジン誘導体、イミダゾール誘導体、ピラゾール誘導体、トリアゾール誘導体、オキサゾール誘導体、オキサジアゾール誘導体、ピロール誘導体、インドール誘導体、アザインドール誘導体、アザカルバゾール、ピラゾリン誘導体、ピラゾロン誘導体、または、フタロシアニン誘導体等が挙げられる。
【００５０】
また、発光層２４のドーパント材料としては、例えば、ピレン誘導体、フルオランテン誘導体、アリールアセチレン誘導体、フルオレン誘導体、ペリレン誘導体、オキサジアゾール誘導体、アントラセン誘導体、または、クリセン誘導体が用いられる。また、発光層２４のドーパント材料としては、金属錯体が用いられてもよい。金属錯体としては、例えば、イリジウム（Ｉｒ）、白金（Ｐｔ）、オスミウム（Ｏｓ）、金（Ａｕ）、レニウム（Ｒｅ）、もしくは、ルテニウム（Ｒｕ）等の金属原子と配位子とを有するものが挙げられる。
【００５１】
電子輸送層２５は、陰極２７から注入された電子を発光層２４へ輸送する機能を有する。電子輸送層２５は、電子輸送性を有する有機材料（以下、「電子輸送性材料２５Ｍ」と称する。）主成分として含んで構成されている。電子輸送層２５は、例えば、蒸着膜またはスパッタ膜で構成されている。電子輸送層２５は、発光層２４から陰極２７への電荷（本実施の形態では正孔）の突き抜けを抑制する電荷ブロック機能や、発光層２４の励起状態の消光を抑制する機能等を有していることが好ましい。
【００５２】
電子輸送層２５の原料（材料）である電子輸送性材料２５Ｍは、例えば、分子内にヘテロ原子を１個以上含有する芳香族ヘテロ環化合物である。芳香族ヘテロ環化合物としては、例えば、ピリジン環、ピリミジン環、トリアジン環、ベンズイミダゾール環、フェナントロリン環、キナゾリン環等を骨格に含む化合物が挙げられる。また、電子輸送層２５は、電子輸送性を有する金属を含んでもよい。電子輸送層２５は、電子輸送性を有する金属を含むことで、電子輸送層２５の電子輸送性を向上できる。電子輸送層２５に含まれる金属としては、例えば、バリウム（Ｂａ）、リチウム（Ｌｉ）、カルシウム（Ｃａ）、カリウム（Ｋ）、セシウム（Ｃｓ）、ナトリウム（Ｎａ）、ルビジウム（Ｒｂ）、イットリビウム（Ｙｂ）等を用いることができる。
【００５３】
電子注入層２６は、陰極２７から注入された電子を電子輸送層２５、発光層２４へ注入する機能を有する。電子注入層２６は、例えば、陰極２７から電子輸送層２５、発光層２４への電子の注入を促進させる機能を有する材料（電子注入性材料）によって構成されている。上記の電子注入性材料は、例えば、電子注入性を有する有機材料に、電子注入性を有する金属がドープされたものであってもよい。電子注入層２６に含まれるドープ金属は、例えば、電子輸送層２５に含まれるドープ金属と同じ金属である。電子輸送層２５は、例えば、蒸着膜またはスパッタ膜で構成されている。
【００５４】
本実施の形態では、発光素子１２−２を構成する各層（例えば、正孔注入層２２、正孔輸送層２３、発光層２４、電子輸送層２５および電子注入層２６）が、溝部１４を共有する各副画素１２で共有されている。つまり、発光素子１２−２を構成する各層（例えば、正孔注入層２２、正孔輸送層２３、発光層２４、電子輸送層２５および電子注入層２６）が、例えば、図５に示したように、溝部１４内において、列方向に延在して形成されており、各行規制部１３Ｂをまたいで（つまり、各行規制部１３Ｂ上に）形成されている。
【００５５】
また、本実施の形態では、発光素子１２−２内の一部の層（例えば、正孔注入層２２、正孔輸送層２３および発光層２４）が、１つの画素１１内の各副画素１２で共有されておらず、１つの画素１１内の副画素１２ごとに別個に形成されている。つまり、発光素子１２−２内の一部の層（例えば、正孔注入層２２、正孔輸送層２３および発光層２４）は、例えば、図４に示したように、列規制部１３Ａによって分離されている。また、本実施の形態では、発光素子１２−２内の一部の層（例えば、電子輸送層２５および電子注入層２６）が、１つの画素１１内の各副画素１２で共有されている。つまり、発光素子１２−２内の一部の層（例えば、電子輸送層２５および電子注入層２６）は、例えば、図５に示したように、各列規制部１３Ｂをまたいで（つまり、各行規制部１３Ｂ上に）形成されている。
【００５６】
また、本実施の形態では、陰極２７は、発光パネル１０全体（例えば、表示領域１０Ａ全体）に渡って形成されている。具体的には、陰極２７は、電子注入層２６と、列規制部１３Ａおよび行規制部１３Ｂの上部とを含む表面全体に渡って連続して形成されている。
【００５７】
発光素子１２−２は、さらに、例えば、図４、図５に示したように、発光素子１２−２を保護および封止する層（封止層２８）を有している。封止層２８は、例えば、エポキシ樹脂や、ビニル系樹脂などの樹脂材料によって形成されている。
【００５８】
本実施の形態では、各発光素子１２−２には、マイクロキャビティ構造が設けられている。マイクロキャビティ構造は、例えば、陽極２１と陰極２７との間で生じる光の共振を利用し、特定波長の光を増強させる効果を有する。発光層２４から発せられた光は、陽極２１と陰極２７との間で多重反射する。このとき、発光層２４から発せられた光のうちの特定の波長成分が強められる。陽極２１と陰極２７との間の光路長が、発光層２４から発せられる光の発光スペクトルピーク波長に対応している。マイクロキャビティ構造により、発光層２４から出射された光は、陽極２１と陰極２７との間で所定の光学長の範囲内で反射を繰り返し、光路長に対応した特定の波長の光は共振して増強される一方、光路長に対応しない波長の光は弱められる。その結果、外部に取り出される光Ｌのスペクトルが急峻でかつ高強度になり、輝度および色純度が向上する。従って、陽極２１と陰極２７との間の距離が、キャビティが生じる光路長となっている。マイクロキャビティ構造では、膜厚が大きくなるにつれて、１次干渉（ファーストキャビティ）、２次干渉（セカンドキャビティ）、３次干渉（サードキャビティ）などが発生する。
【００５９】
（対向パネル４０）
発光装置１は、上述したように、対向パネル４０を備えている。図６は、積層パネルの、図３のＡ−Ａ線に対応する箇所での断面構成例を表したものである。図７は、積層パネルの、図３のＢ−Ｂ線に対応する箇所での断面構成例を表したものである。図８は、積層パネルの、図３のＣ−Ｃ線に対応する箇所での断面構成例を表したものである。図９は、積層パネルの、図３のＤ−Ｄ線に対応する箇所での断面構成例を表したものである。なお、図６〜図９では、主要な構成要素だけが示されている。
【００６０】
対向パネル４０は、発光パネル１０と所定の間隙を介して対向配置されている。対向パネル４０と発光パネル１０との間の間隙は、例えば、透光性の樹脂（例えば封止層２８）で充填されている。対向パネル４０は、例えば、支持基板４１と、支持基板４１の、発光パネル１０側の表面に接するブラックマトリクス４２（遮光膜）およびカラーフィルタ４３とを有している。ブラックマトリクス４２は、例えば、光吸収性を有する材料、または、反射を抑制する材料によって形成されている。ブラックマトリクス４２は、後述するように、複数の開口部Ｈｒ，Ｈｇ，Ｈｂを有している。カラーフィルタ４３は、少なくとも、開口部Ｈｒ，Ｈｇ，Ｈｂ内に設けられている。カラーフィルタ４３は、開口部Ｈｒ内に赤色光を選択的に透過するカラーフィルタ４３Ｒを有しており、開口部Ｈｇ内に緑色光を選択的に透過するカラーフィルタ４３Ｇを有しており、開口部Ｈｇ内に青色光を選択的に透過するカラーフィルタ４３Ｂを有している。
【００６１】
ブラックマトリクス４２は、高解像度化に適した構成となっている。具体的には、ブラックマトリクス４２は、所定の間隙を介して各発光素子１２−２と対向する位置に、開口幅の互いに異なる複数の開口部Ｈｒ，Ｈｇ，Ｈｂを有している。開口部Ｈｒは、発光素子１２ｒと対向する位置に設けられている。開口部Ｈｇは、発光素子１２ｇと対向する位置に設けられている。開口部Ｈｂは、発光素子１２ｂと対向する位置に設けられている。
【００６２】
複数の開口部Ｈｒ，Ｈｇ，Ｈｂは、行方向に等ピッチで配置されるとともに、列方向にも等ピッチで配置されている。複数の開口部Ｈｒ，Ｈｇ，Ｈｂの、行方向のピッチ、および複数の開口部Ｈｒ，Ｈｇ，Ｈｂの、列方向のピッチは、それぞれ、一定となっている。複数の開口部Ｈｒ，Ｈｇ，Ｈｂの、行方向のピッチは、複数の開口部Ｈｒ，Ｈｇ，Ｈｂの、列方向のピッチよりも狭くなっており、例えば、複数の開口部Ｈｒ，Ｈｇ，Ｈｂの、列方向のピッチの１／３程度となっている。
【００６３】
各開口部Ｈｒ，Ｈｇ，Ｈｂの、行方向における開口幅Ｗｂｍ＿ｒ１，Ｗｂｍ＿ｇ１，Ｗｂｍ＿ｂ１は、各発光素子１２−２（発光層２４）から発せられた光の一部がブラックマトリクス４２によって遮られることに起因して４５°輝度視野角（ｃｄ／ｍ2）が行方向において互いに異なる大きさとなっており、かつ、４５°色度視野角（ｕ’ｖ’）の、行方向における色差（Δｕ’ｖ’）が０．０２０以下となるような大きさとなっている。同様に、各開口部Ｈｒ，Ｈｇ，Ｈｂの、列方向における開口幅Ｗｂｍ＿ｒ２，Ｗｂｍ＿ｇ２，Ｗｂｍ＿ｂ２は、各発光素子１２−２（発光層２４）から発せられた光の一部がブラックマトリクス４２によって遮られることに起因して４５°輝度視野角（ｃｄ／ｍ2）が行方向において互いに異なる大きさとなっており、かつ、４５°色度視野角（ｕ’ｖ’）の、行方向における色差（Δｕ’ｖ’）が０．０２０、０．０１０、または、０．００４以下となるような大きさとなっている。
【００６４】
ここで、輝度視野角（ｃｄ／ｍ2）は、輝度計によって計測可能である。色度視野角（ｕ’ｖ’）は、分光放射計によって計測可能である。現在の汎用ディスプレイにおける色差（Δｕ’ｖ’）の仕様が、一般的に０．０２０となっている。現在の高級モニターにおける色差（Δｕ’ｖ’）の仕様が、一般的に０．０１０となっている。色差（Δｕ’ｖ’）０．００４は、人間の認識限界に相当する値である。
【００６５】
開口部Ｈｒ，Ｈｇ，Ｈｂの大きさは、開口部Ｈｒ，Ｈｇ，Ｈｂごとに異なっている。開口部Ｈｒの、行方向の幅Ｗｂｍ＿ｒ１は、開口部Ｈｇの、行方向の幅Ｗｂｍ＿ｇ１よりも大きくなっている。開口部Ｈｇの、行方向の幅Ｗｂｍ＿ｇ１は、開口部Ｈｂの、行方向の幅Ｗｂｍ＿ｂ１よりも大きくなっている。開口部Ｈｒの、列方向の幅Ｗｂｍ＿ｒ２は、開口部Ｈｇの、列方向の幅Ｗｂｍ＿ｇ２よりも大きくなっている。また、開口部Ｈｇの、列方向の幅Ｗｂｍ＿ｇ２は、開口部Ｈｂの、列方向の幅Ｗｂｍ＿ｂ２よりも大きくなっている。
【００６６】
開口部Ｈｒの、行方向の幅Ｗｂｍ＿ｒ１は、発光素子１２ｒの、行方向の幅Ｗｅｌ＿ｒ１よりも大きくなっている。開口部Ｈｇの、行方向の幅Ｗｂｍ＿ｇ１は、発光素子１２ｇの、行方向の幅Ｗｅｌ＿ｇ１よりも大きくなっている。開口部Ｈｂの、行方向の幅Ｗｂｍ＿ｂ１は、発光素子１２ｂの、行方向の幅Ｗｅｌ＿ｂ１よりも大きくなっている。開口部Ｈｒの、列方向の幅Ｗｂｍ＿ｒ２は、発光素子１２ｒの、列方向の幅Ｗｅｌ＿ｒ２よりも大きくなっている。開口部Ｈｇの、列方向の幅Ｗｂｍ＿ｇ２は、発光素子１２ｇの、列方向の幅Ｗｅｌ＿ｇ２よりも大きくなっている。開口部Ｈｂの、列方向の幅Ｗｂｍ＿ｂ２は、発光素子１２ｂの、列方向の幅Ｗｅｌ＿ｂ２よりも大きくなっている。
【００６７】
開口部Ｈｒの、行方向の幅Ｗｂｍ＿ｒ１と、発光素子１２ｒの、行方向の幅Ｗｅｌ＿ｒ１との差は、開口部Ｈｇの、行方向の幅Ｗｂｍ＿ｇ１と、発光素子１２ｇの、行方向の幅Ｗｅｌ＿ｇ１との差よりも大きくなっている。開口部Ｈｒの、列方向の幅Ｗｂｍ＿ｒ２と、発光素子１２ｒの、列方向の幅Ｗｅｌ＿ｒ２との差は、開口部Ｈｇの、列方向の幅Ｗｂｍ＿ｇ２と、発光素子１２ｇの、列方向の幅Ｗｅｌ＿ｇ２との差よりも大きくなっている。
【００６８】
開口部Ｈｇの、行方向の幅Ｗｂｍ＿ｇ１と、発光素子１２ｇの、行方向の幅Ｗｅｌ＿ｇ１との差は、開口部Ｈｂの、行方向の幅Ｗｂｍ＿ｂ１と、発光素子１２ｂの、行方向の幅Ｗｅｌ＿ｂ１との差よりも大きくなっている。開口部Ｈｇの、列方向の幅Ｗｂｍ＿ｇ２と、発光素子１２ｇの、列方向の幅Ｗｅｌ＿ｇ２との差は、開口部Ｈｂの、列方向の幅Ｗｂｍ＿ｂ２と、発光素子１２ｂの、列方向の幅Ｗｅｌ＿ｂ２との差よりも大きくなっている。
【００６９】
開口部Ｈｒの、行方向の幅Ｗｂｍ＿ｒ１は、発光素子１２ｒから発せられた光の行方向成分の一部がブラックマトリクス４２によって遮られる程度の大きさとなっている。開口部Ｈｒの、列方向の幅Ｗｂｍ＿ｒ２は、発光素子１２ｒから発せられた光の列方向成分の一部がブラックマトリクス４２によって遮られる程度の大きさとなっていてもよいし、発光素子１２ｒから発せられた光の列方向成分の一部がブラックマトリクス４２によって遮られない程度の大きさとなっていてもよい。発光素子１２ｒから発せられた光の一部がブラックマトリクス４２によって遮られているか否かは、画素１１Ｒから発せられた光の４５°輝度視野角（ｃｄ／ｍ2）が、行方向および列方向において互いに異なっているか否かで判断することができる。画素１１Ｒから発せられた光の４５°輝度視野角（ｃｄ／ｍ2）が、行方向および列方向において互いに異なっている場合には、発光素子１２ｒから発せられた光の一部がブラックマトリクス４２によって遮られていると判断することができる。
【００７０】
開口部Ｈｇの、行方向の幅Ｗｂｍ＿ｇ１は、発光素子１２ｇから発せられた光の行方向成分の一部がブラックマトリクス４２によって遮られる程度の大きさとなっている。開口部Ｈｇの、列方向の幅Ｗｂｍ＿ｇ２は、発光素子１２ｇから発せられた光の列方向成分の一部がブラックマトリクス４２によって遮られる程度の大きさとなっていてもよいし、発光素子１２ｇから発せられた光の列方向成分の一部がブラックマトリクス４２によって遮られない程度の大きさとなっていてもよい。発光素子１２ｇから発せられた光の一部がブラックマトリクス４２によって遮られているか否かは、画素１１Ｇから発せられた光の４５°輝度視野角（ｃｄ／ｍ2）が、行方向および列方向において互いに異なっているか否かで判断することができる。画素１１Ｇから発せられた光の４５°輝度視野角（ｃｄ／ｍ2）が、行方向および列方向において互いに異なっている場合には、発光素子１２ｇから発せられた光の一部がブラックマトリクス４２によって遮られていると判断することができる。
【００７１】
開口部Ｈｂの、行方向の幅Ｗｂｍ＿ｂ１は、発光素子１２ｂから発せられた光の行方向成分の一部がブラックマトリクス４２によって遮られる程度の大きさとなっている。開口部Ｈｂの、列方向の幅Ｗｂｍ＿ｂ２は、発光素子１２ｂから発せられた光の列方向成分の一部がブラックマトリクス４２によって遮られる程度の大きさとなっていてもよいし、発光素子１２ｂから発せられた光の列方向成分の一部がブラックマトリクス４２によって遮られない程度の大きさとなっていてもよい。発光素子１２ｂから発せられた光の行方向成分および列方向成分の一部がブラックマトリクス４２によって遮られているか否かは、画素１１Ｂから発せられた光の４５°輝度視野角（ｃｄ／ｍ2）が、行方向および列方向において互いに異なっているか否かで判断することができる。画素１１Ｂから発せられた光の４５°輝度視野角（ｃｄ／ｍ2）が、行方向および列方向において互いに異なっている場合には、発光素子１２ｂから発せられた光の一部がブラックマトリクス４２によって遮られていると判断することができる。
【００７２】
各開口部Ｈｒ，Ｈｇ，Ｈｂの、行方向および列方向における開口幅（Ｗｂｍ＿ｒ１，Ｗｂｍ＿ｇ１，Ｗｂｍ＿ｂ１，Ｗｂｍ＿ｒ２，Ｗｂｍ＿ｇ２，Ｗｂｍ＿ｂ２）は、４５°輝度視野角（ｃｄ／ｍ2）の、以下の式（１）により求められる輝度差ΔＬがいずれかの発光色において３％を超えるような大きさとなっていてもよい。なお、ブラックマトリクス４２のケラレ（遮光）が大き過ぎると、水平方向と垂直方向の色度視野角（ｕ’ｖ’）のズレを調整することが難しくなる場合がある。これを考慮すると、各開口部Ｈｒ，Ｈｇ，Ｈｂの、行方向および列方向における開口幅（Ｗｂｍ＿ｒ１，Ｗｂｍ＿ｇ１，Ｗｂｍ＿ｂ１，Ｗｂｍ＿ｒ２，Ｗｂｍ＿ｇ２，Ｗｂｍ＿ｂ２）は、輝度差ΔＬがいずれかの発光色において３０％未満となるような大きさとなっていることが好ましい。
【００７３】
ΔＬ＝（（Ｌｍａｘ−Ｌｍｉｎ）／Ｌｍａｘ）×１００…式（１）
Ｌｍａｘ：行方向の４５°輝度視野角（ｃｄ／ｍ2）および列方向の４５°輝度視野角（ｃｄ／ｍ2）のうち大きい方の値
Ｌｍｉｎ：行方向の４５°輝度視野角（ｃｄ／ｍ2）および列方向の４５°輝度視野角（ｃｄ／ｍ2）のうち小さい方の値
【００７４】
図１１は、比較例に係る積層パネルの視野角と色差との関係の一例を表す図である。図１２は、比較例に係る積層パネルにおける輝度視野角（ｃｄ／ｍ2）の一例を表す図である。
【００７５】
比較例に係る積層パネルでは、発光素子の素子幅が行方向おいて全て等しくなっており、発光素子の素子幅が列方向おいて全て等しくなっており、ブラックマトリクスの開口部の開口幅が行方向おいて全て等しくなっており、ブラックマトリクスの開口部の開口幅が列方向おいて全て等しくなっている。比較例に係る積層パネルでは、各副画素の発光素子として、共振器構造を持たせた有機ＥＬ素子が、行方向において膜厚分布が大きくなる印刷プロセスを用いて形成されている。このときの発光分布は、赤色の副画素において、比較的広くなっており、緑色の副画素、青色の副画素となるにつれて、狭くなっている。従って、青色の副画素では、ブラックマトリクスの開口部の外縁での発光がほとんど見られない。
【００７６】
比較例に係る積層パネルにおいて、ブラックマトリクスの開口部の開口幅と、発光素子の素子幅との差分を各副画素で一定とした場合、発光素子の中心部と、ブラックマトリクスの開口部の端縁を発光パネルに投影したときの投影点との距離（差Ｌｓ）が各副画素で一定となる。この場合、ブラックマトリクスによるケラレ（遮光）の割合が、赤色の副画素、緑色の副画素、青色の副画素ごとに異なるので、白表示をしたときに色ずれが生じる。さらに、副画素の縦横のアスペクト比がおおよそ１：３となっているので、ブラックマトリクスによるケラレ（遮光）の割合が、各副画素において、行方向および列方向で異なる。従って、色ずれの大きさが積層パネルを視認する方向によって異なる。図１１に、その具体例を表す。図１１によると、色差Δｕ’ｖ’が、垂直方向（視認方向：０度、２７０度）と、水平方向（視認方向：９０度、１８０度）とで大きく異なっている。垂直方向（視認方向：０度、２７０度）の４５°での色差Δｕ’ｖ’は、０．０１２を超えており、その一方で、水平方向（視認方向：９０度、１８０度）の４５°での色差Δｕ’ｖ’は、人間の認識限界（０．００４）よりも若干大きな値となっている。
【００７７】
また、図１２によると、垂直方向（視認方向：０度、２７０度）の輝度視野角特性は、ケラレがほとんど生じていないので、ほぼ共振器単独の輝度視野角特性となっており、４５°輝度視野角（ｃｄ／ｍ2）においておおよそ６５〜６６％となっている。一方、水平方向（視認方向：９０度、１８０度）の輝度視野角特性は、青色の副画素、緑色の副画素、赤色の副画素の順にケラレが大きくなるので、４５°輝度視野角（ｃｄ／ｍ2）において、青色の副画素でおおよそ６６％、緑色および赤色の副画素でおおよそ６５％となっている。
【００７８】
さらに、赤色の副画素では、最大方向の輝度視野角特性と、最小方向の輝度視野角特性との差が、７．１％となっており、緑色の副画素では、最大方向の輝度視野角特性と、最小方向の輝度視野角特性との差が、４．４％となっており、緑色の副画素では、最大方向の輝度視野角特性と、最小方向の輝度視野角特性との差が、２．９％となっている。従って、赤色および緑色の副画素では、青色の副画素と比べて、輝度視野角特性が積層パネルを視認する方向によって大きく異なっているのがわかる。
【００７９】
このように、比較例に係る積層パネルでは、輝度視野角特性や色差Δｕ’ｖ’が積層パネルを視認する方向によって大きく異なっている。これらは、図１３の上段の４５°色度視野角等高線マップに示したように、観察方向によって色度視野角（ｕ’ｖ’）の最適値がケラレによってずれていることを示している。なお、図１３に記載の４５°色度視野角等高線マップにおいて、横軸が赤色の画素１１Ｒにおける塗布膜の膜厚となっており、縦軸が緑色の画素１１Ｒにおける塗布膜の膜厚となっている。図１３中の補正前とは、ブラックマトリクスの開口部の開口幅が行方向おいて全て等しくなっており、ブラックマトリクスの開口部の開口幅が列方向おいて全て等しくなっていることを指している。図１３中の補正後とは、ブラックマトリクスの開口部の開口幅を調整したことを指している。ところで、各方向での最適値の中間値を発光素子の膜厚として設定することも可能である。しかし、そのようにした場合には、膜厚制御のマージンが低下し、歩留まりの低下などの問題が生じる。
【００８０】
そこで、本実施の形態では、ブラックマトリクス４２の開口部Ｈｒ，Ｈｇ，Ｈｂの開口幅（Ｗｂｍ＿ｒ１，Ｗｂｍ＿ｇ１，Ｗｂｍ＿ｂ１，Ｗｂｍ＿ｒ２，Ｗｂｍ＿ｇ２，Ｗｂｍ＿ｂ２）と、発光素子１２−２の素子幅（Ｗｂｍ＿ｒ１,Ｗｂｍ＿ｇ１,Ｗｂｍ＿ｂ１,Ｗｂｍ＿ｒ２,Ｗｂｍ＿ｇ２,Ｗｂｍ＿ｂ２）との関係を、単色の輝度視野角（ｃｄ／ｍ2）の最大値と最小値のケラレの影響の大きさに応じて設定する。具体的には、ケラレの影響が大きい場合には、ブラックマトリクス４２の開口部Ｈｒ，Ｈｇ，Ｈｂの開口幅と、発光素子１２−２の素子幅との差を大きく設定して、ケラレが発生しにくい状態にし、ケラレの影響が少ない場合には、ラックマトリクス４２の開口部Ｈｒ，Ｈｇ，Ｈｂの開口幅と、発光素子１２−２の素子幅との差を小さく設定して、ケラレが発生しやすい状態にする。このようにすることで、各色のバランスを制御して、視野角による色の変化を少なくし、各方位の色度視野角（ｕ’ｖ’）の最適点を一致させることで、画品位の改善と生産性の向上を図る。
【００８１】
そこで、例えば、各発光素子１２−２の素子幅を一定としたうえで、開口部Ｈｒの、行方向の幅Ｗｂｍ＿ｒ１と、発光素子１２ｒの、行方向の幅Ｗｅｌ＿ｒ１との差を、開口部Ｈｇの、行方向の幅Ｗｂｍ＿ｇ１と、発光素子１２ｇの、行方向の幅Ｗｅｌ＿ｇ１との差よりも大きくする。さらに、例えば、各発光素子１２−２の素子幅を一定としたうえで、開口部Ｈｒの、列方向の幅Ｗｂｍ＿ｒ２と、発光素子１２ｒの、列方向の幅Ｗｅｌ＿ｒ２との差を、開口部Ｈｇの、列方向の幅Ｗｂｍ＿ｇ２と、発光素子１２ｇの、列方向の幅Ｗｅｌ＿ｇ２との差よりも大きくする。さらに、例えば、各発光素子１２−２の素子幅を一定としたうえで、開口部Ｈｇの、行方向の幅Ｗｂｍ＿ｇ１と、発光素子１２ｇの、行方向の幅Ｗｅｌ＿ｇ１との差を、開口部Ｈｂの、行方向の幅Ｗｂｍ＿ｂ１と、発光素子１２ｂの、行方向の幅Ｗｅｌ＿ｂ１との差よりも大きくする。さらに、例えば、各発光素子１２−２の素子幅を一定としたうえで、開口部Ｈｇの、列方向の幅Ｗｂｍ＿ｇ２と、発光素子１２ｇの、列方向の幅Ｗｅｌ＿ｇ２との差を、開口部Ｈｂの、列方向の幅Ｗｂｍ＿ｂ２と、発光素子１２ｂの、列方向の幅Ｗｅｌ＿ｂ２との差よりも大きくする。
【００８２】
例えば、各発光素子１２−２の、行方向の素子幅を３０μｍとし、各発光素子１２−２の、列方向の素子幅を９０μｍとする。さらに、ブラックマトリクス４２の開口部Ｈｒの、列方向の開口幅を３９μｍとし、ブラックマトリクス４２の開口部Ｈｇの、列方向の開口幅を３７μｍとし、ブラックマトリクス４２の開口部Ｈｂの、列方向の開口幅を３５．５μｍとし、ブラックマトリクス４２の各開口部Ｈｒ，Ｈｇ，Ｈｂの、列方向の開口幅を９０μｍとする。このときの視野角と色差との関係を図１４に示す。図１４によると、色差Δｕ’ｖ’が、垂直方向（視認方向：０度、２７０度）と、水平方向（視認方向：９０度、１８０度）とでほぼ等しくなっていることがわかる。これは、図１３の下段に示したように、ブラックマトリクス４２の開口幅を調整することで、４５°色度視野角（ｕ’ｖ’）の最適中心が、ケラレありとなしとで同じ位置になっていることに起因している。なお、ブラックマトリクス４２の開口幅の調整方法は、上記の方法に限定されるものではない。
【００８３】
図１５は、種々の４５°色度視野角等高線マップを表したものである。図１５の左の上下段には、４５°輝度視野角最大方位における、４５°色度視野角等高線マップが表されており、図１５の残りの箇所には、ブラックマトリクス４２の開口部のアスペクト比として３種類を設定したときの、４５°輝度視野角最小方位における、４５°色度視野角等高線マップが表されている。図１５からは、ブラックマトリクス４２の開口部のアスペクト比の大きさによって、４５°色度視野角（ｕ’ｖ’）の最適中心の位置が、大きくずれることがわかる。
【００８４】
[効果]
次に、本実施の形態に係る発光装置１の効果について説明する。
【００８５】
有機ＥＬなどの自発光素子の表示装置において、色再現範囲を広く、また外光反射を抑えるために、ブラックマトリクスを用いたカラーフィルタを採用する場合がある。この表示装置の発光部とブラックマトリクスとが一定の間隔を隔てて設置された場合、表示装置を斜め方向から観察すると、ブラックマトリクスによるケラレが発生することがある。この現象は、表示装置の解像度が上がるほど顕著になる。
【００８６】
有機ＥＬは、発光色によって寿命が異なることから、画素開口は、寿命の短い素子を大きくすることが多い。また、印刷方式を用いて作製した有機ＥＬは、膜厚分布を持ち、画素周辺部の膜厚が中心部分と大きく異なる。これに加えて、有機ＥＬに共振器構造を用いた場合には、発光部に強い面内分布が発生するため、発光エリアは同じであっても斜めから見たときのケラレには色ごとに差ができ、色ずれが生じる。
【００８７】
この対策として、例えば、特許第４７１５９０６号では、水平方向の幅を揃えること、そして、特許第５２９３４９７号では、ブラックマトリクスと発光部の距離を色ごとに変えることによる色ずれの低減を提案している。しかし、ＲＧＢの発光部のアスペクト比が異なる場合には、方向によって、ケラレ量が異なるため、色ずれが方向によって異なり、画品位の低下も生じる。共振器内の膜厚で調整を行った場合には、著しく生産性が低下することがある。
【００８８】
一方、本実施の形態では、ブラックマトリクス４２の各開口部Ｈｒ，Ｈｇ，Ｈｂの、行方向および列方向における開口幅（Ｗｂｍ＿ｒ１，Ｗｂｍ＿ｇ１，Ｗｂｍ＿ｂ１，Ｗｂｍ＿ｒ２，Ｗｂｍ＿ｇ２，Ｗｂｍ＿ｂ２）は、各発光素子１２−２から発せられた光の一部がブラックマトリクス４２によって遮られることに起因して４５°輝度視野角（ｃｄ／ｍ2）が行方向および列方向において互いに異なる大きさとなるような大きさとなっている。各開口部Ｈｒ，Ｈｇ，Ｈｂの、行方向および列方向における開口幅（Ｗｂｍ＿ｒ１，Ｗｂｍ＿ｇ１，Ｗｂｍ＿ｂ１，Ｗｂｍ＿ｒ２，Ｗｂｍ＿ｇ２，Ｗｂｍ＿ｂ２）は、さらに、４５°色度視野角（ｕ’ｖ’）の、行方向および列方向における色差（Δｕ’ｖ’）が０．０２０以下となるような大きさとなっている。これにより、ブラックマトリクス４２の各開口部Ｈｒ，Ｈｇ，Ｈｂを小さくした場合に、ブラックマトリクス４２によるケラレ（遮光）が発生したときであっても、色ずれを低減することができる。従って、高解像度において画品位の低下を抑制することができる。
【００８９】
また、本実施の形態では、ブラックマトリクス４２の各開口部Ｈｒ，Ｈｇ，Ｈｂの、行方向および列方向における開口幅（Ｗｂｍ＿ｒ１，Ｗｂｍ＿ｇ１，Ｗｂｍ＿ｂ１，Ｗｂｍ＿ｒ２，Ｗｂｍ＿ｇ２，Ｗｂｍ＿ｂ２）は、色差（Δｕ’ｖ’）が０．００４以下となるような大きさとなっている。これにより、色差（Δｕ’ｖ’）が人間の認識限界に相当する値と同じかそれよりも低くなるので、観察者がそもそも色ずれを認識することができなくなる。従って、高解像度において画品位の低下を抑制することができる。
【００９０】
また、本実施の形態において、各開口部Ｈｒ，Ｈｇ，Ｈｂの、行方向および列方向における開口幅（Ｗｂｍ＿ｒ１，Ｗｂｍ＿ｇ１，Ｗｂｍ＿ｂ１，Ｗｂｍ＿ｒ２，Ｗｂｍ＿ｇ２，Ｗｂｍ＿ｂ２）は、４５°輝度視野角（ｃｄ／ｍ2）の、上記の式（１）により求められる輝度差ΔＬがいずれかの発光色において３％を超えるような大きさとなっている場合であっても、ブラックマトリクス４２の開口部Ｈｒ，Ｈｇ，Ｈｂの開口幅（Ｗｂｍ＿ｒ１，Ｗｂｍ＿ｇ１，Ｗｂｍ＿ｂ１，Ｗｂｍ＿ｒ２，Ｗｂｍ＿ｇ２，Ｗｂｍ＿ｂ２）と、発光素子１２−２の素子幅（Ｗｂｍ＿ｒ１,Ｗｂｍ＿ｇ１,Ｗｂｍ＿ｂ１,Ｗｂｍ＿ｒ２,Ｗｂｍ＿ｇ２,Ｗｂｍ＿ｂ２）との関係を、単色の輝度視野角（ｃｄ／ｍ2）の最大値と最小値のケラレの影響の大きさに応じて設定することにより、各色のバランスを制御して、視野角による色の変化を少なくし、各方位の色度視野角（ｕ’ｖ’）の最適点を一致させることができる。従って、画品位の改善と生産性の向上を図ることができる。
【００９１】
また、本実施の形態では、各発光素子１２−２が、塗布膜によって構成された発光層２４を有している。ここで、各発光素子１２−２の素子幅（Ｗｅｌ＿ｒ１，Ｗｅｌ＿ｇ１，Ｗｅｌ＿ｂ１，Ｗｅｌ＿ｒ２，Ｗｅｌ＿ｇ２，Ｗｅｌ＿ｂ２）が絶縁層１３によって規定されている。そのため、絶縁層１３による濡れ上がりの影響により、発光層２４の膜厚分布が不均一となる。そのため、上述したマイクロキャビティの影響により、発光層２４の膜厚が共振条件から外れている部分の光を外部に取り出すことができなくなり、発光領域２４Ａの大きさは、副画素１２Ｒ，１２Ｇ，１２Ｂごとに異なってしまう。その結果、各発光素子１２−２の、行方向の幅（Ｗｅｌ＿ｒ１，Ｗｅｌ＿ｇ１，Ｗｅｌ＿ｂ１）を互いに等しくし、ブラックマトリクス４２の各開口部Ｈｒ，Ｈｇ，Ｈｂの開口幅（Ｗｂｍ＿ｒ１，Ｗｂｍ＿ｇ１，Ｗｂｍ＿ｂ１，Ｗｂｍ＿ｒ２，Ｗｂｍ＿ｇ２，Ｗｂｍ＿ｂ２）を互いに等しくした場合には、色度視野角（ｕ’ｖ’）の、視認方向によるズレが生じてしまう。一方、本実施の形態では、ブラックマトリクス４２の開口部Ｈｒ，Ｈｇ，Ｈｂの開口幅（Ｗｂｍ＿ｒ１，Ｗｂｍ＿ｇ１，Ｗｂｍ＿ｂ１，Ｗｂｍ＿ｒ２，Ｗｂｍ＿ｇ２，Ｗｂｍ＿ｂ２）と、発光素子１２−２の素子幅（Ｗｂｍ＿ｒ１,Ｗｂｍ＿ｇ１,Ｗｂｍ＿ｂ１,Ｗｂｍ＿ｒ２,Ｗｂｍ＿ｇ２,Ｗｂｍ＿ｂ２）との関係を、単色の輝度視野角（ｃｄ／ｍ2）の最大値と最小値のケラレの影響の大きさに応じて設定することにより、各色のバランスを制御して、視野角による色の変化を少なくし、各方位の色度視野角（ｕ’ｖ’）の最適点を一致させることができる。従って、各発光素子１２−２が、塗布膜によって構成された発光層２４を有している場合であっても、画品位の改善と生産性の向上を図ることができる。
【００９２】
また、本実施の形態では、ブラックマトリクス４２の複数の開口部Ｈｒ，Ｈｇ，Ｈｂ、行方向および列方向のピッチが一定となっている。これにより、本実施の形態に係る発光装置１は、特殊な用途での使用に限られず、汎用のディスプレイや高級モニターなどに用いることができる。
【００９３】
また、本実施の形態では、列規制部１３Ａによって、複数の発光素子１２−２が、行方向において区画されている場合には、列規制部１３Ａによる濡れ上がりの影響により、発光層２４の列方向における膜厚分布が、発光層２４の列方向における膜厚分布よりも不均一となる。そのため、上述したマイクロキャビティの影響により、発光層２４の膜厚が共振条件から外れている部分の光を外部に取り出すことができなくなり、発光領域２４Ａの大きさは、副画素１２Ｒ，１２Ｇ，１２Ｂごとに異なってしまう。その結果、各発光素子１２−２の、行方向の幅（Ｗｅｌ＿ｒ１，Ｗｅｌ＿ｇ１，Ｗｅｌ＿ｂ１）を互いに等しくし、ブラックマトリクス４２の各開口部Ｈｒ，Ｈｇ，Ｈｂの開口幅（Ｗｂｍ＿ｒ１，Ｗｂｍ＿ｇ１，Ｗｂｍ＿ｂ１，Ｗｂｍ＿ｒ２，Ｗｂｍ＿ｇ２，Ｗｂｍ＿ｂ２）を互いに等しくした場合には、色度視野角（ｕ’ｖ’）の、視認方向によるズレが生じてしまう。一方、本実施の形態では、ブラックマトリクス４２の開口部Ｈｒ，Ｈｇ，Ｈｂの開口幅（Ｗｂｍ＿ｒ１，Ｗｂｍ＿ｇ１，Ｗｂｍ＿ｂ１，Ｗｂｍ＿ｒ２，Ｗｂｍ＿ｇ２，Ｗｂｍ＿ｂ２）と、発光素子１２−２の素子幅（Ｗｂｍ＿ｒ１,Ｗｂｍ＿ｇ１,Ｗｂｍ＿ｂ１,Ｗｂｍ＿ｒ２,Ｗｂｍ＿ｇ２,Ｗｂｍ＿ｂ２）との関係を、単色の輝度視野角（ｃｄ／ｍ2）の最大値と最小値のケラレの影響の大きさに応じて設定することにより、各色のバランスを制御して、視野角による色の変化を少なくし、各方位の色度視野角（ｕ’ｖ’）の最適点を一致させることができる。従って、列規制部１３Ａによって、複数の発光素子１２−２が、行方向において区画されている場合であっても、画品位の改善と生産性の向上を図ることができる。
【００９４】
また、本実施の形態では、複数の画素１１の解像度が、１００ｐｐｉ以上、１２０ｐｐｉ以上、もしくは１５０ｐｐｉ以上となっている。これにより、ブラックマトリクス４２でのケラレ（遮光）をなくすことがそもそも難しいという、低精細のときには起こり得ない状況下で、ブラックマトリクス４２の開口部Ｈｒ，Ｈｇ，Ｈｂの開口幅（Ｗｂｍ＿ｒ１，Ｗｂｍ＿ｇ１，Ｗｂｍ＿ｂ１，Ｗｂｍ＿ｒ２，Ｗｂｍ＿ｇ２，Ｗｂｍ＿ｂ２）と、発光素子１２−２の素子幅（Ｗｂｍ＿ｒ１,Ｗｂｍ＿ｇ１,Ｗｂｍ＿ｂ１,Ｗｂｍ＿ｒ２,Ｗｂｍ＿ｇ２,Ｗｂｍ＿ｂ２）との関係を、単色の輝度視野角（ｃｄ／ｍ2）の最大値と最小値のケラレの影響の大きさに応じて設定することにより、各色のバランスを制御して、視野角による色の変化を少なくし、各方位の色度視野角（ｕ’ｖ’）の最適点を一致させることができる。従って、複数の画素１１の解像度が、１００ｐｐｉ以上、１２０ｐｐｉ以上、もしくは１５０ｐｐｉ以上となっている場合であっても、画品位の改善と生産性の向上を図ることができる。
【００９５】
＜２．適用例＞
[適用例その１]
以下では、上記実施の形態に係る発光装置１の適用例について説明する。上記実施の形態に係る発光装置１は、テレビジョン装置、デジタルカメラ、ノート型パーソナルコンピュータ、シート状のパーソナルコンピュータ、携帯電話等の携帯端末装置あるいはビデオカメラなど、外部から入力された映像信号あるいは内部で生成した映像信号を、画像あるいは映像として表示するあらゆる分野の電子機器の表示装置に適用することが可能である。
【００９６】
図１６は、本適用例に係る電子機器２の外観を斜視的に表したものである。電子機器２は、例えば、筐体３１０の主面に表示面３２０を備えたシート状のパーソナルコンピュータである。電子機器２は、電子機器２の表示面３２０に、上記実施の形態に係る発光装置１を表示装置として備えている。上記実施の形態に係る発光装置１は、対向パネル４０が外側を向くように配置されている。本適用例では、上記実施の形態に係る発光装置１が表示面３２０に設けられているので、視認性や表示品質の高い電子機器２を実現することができる。
【００９７】
[適用例その２]
以下では、上記実施の形態に係る発光装置１の他の適用例について説明する。上記実施の形態に係る発光装置１は、卓上用もしくは床置き用の照明装置、または、室内用の照明装置など、あらゆる分野の照明装置の光源に適用することが可能である。
【００９８】
図１７は、上記実施の形態に係る発光装置１が適用される室内用の照明装置の外観を表したものである。この照明装置は、例えば、上記実施の形態に係る発光装置１を含んで構成された照明部４１０を有している。照明部４１０は、建造物の天井４２０に適宜の個数および間隔で配置されている。なお、照明部４１０は、用途に応じて、天井４２０に限らず、壁４３０または床（図示せず）など任意の場所に設置することが可能である。
【００９９】
これらの照明装置では、上記実施の形態に係る発光装置１からの光により、照明が行われる。これにより、照明品質の高い照明装置を実現することができる。
【０１００】
以上、実施の形態を挙げて本開示を説明したが、本開示は実施の形態に限定されるものではなく、種々変形が可能である。なお、本明細書中に記載された効果は、あくまで例示である。本開示の効果は、本明細書中に記載された効果に限定されるものではない。本開示が、本明細書中に記載された効果以外の効果を持っていてもよい。
【０１０１】
また、例えば、本開示は以下のような構成を取ることができる。
（１）
複数の副画素からなる複数の画素を備え、
各前記副画素は、
発光色の互いに異なる複数の発光素子と、
所定の間隙を介して各前記発光素子と対向する位置に開口幅の互いに異なる複数の開口部が設けられた遮光膜と
を有し、
各前記開口部の、第１方向および第２方向における開口幅は、各前記発光素子から発せられた光の一部が前記遮光膜によって遮られることに起因して４５°輝度視野角（ｃｄ／ｍ2）が前記第１方向および前記第２方向において互いに異なる大きさとなっており、かつ、４５°色度視野角（ｕ’ｖ’）の、前記第１方向および前記第２方向における色差（Δｕ’ｖ’）が０．０２０以下となるような大きさとなっている
発光装置。
（２）
各前記開口部の、前記第１方向および前記第２方向における開口幅は、前記色差が０．００４以下となるような大きさとなっている
（１）に記載の発光装置。
（３）
各前記開口部の、前記第１方向および前記第２方向における開口幅は、４５°輝度視野角の、以下の式により求められる輝度差ΔＬがいずれかの発光色において３％を超えるような大きさとなっている
（１）または（２）に記載の発光装置。
ΔＬ＝（（Ｌｍａｘ−Ｌｍｉｎ）／Ｌｍａｘ）×１００
Ｌｍａｘ：前記第１方向の４５°輝度視野角および前記第２方向の４５°輝度視野角のうち大きい方の値
Ｌｍｉｎ：前記第１方向の４５°輝度視野角および前記第２方向の４５°輝度視野角のうち小さい方の値
（４）
各前記発光素子は、塗布膜によって構成された有機発光層を有する
（１）から（３）のいずれか１つに記載の発光装置。
（５）
複数の前記開口部の、前記第１方向および前記第２方向のピッチが一定となっている
（１）から（４）のいずれか１つに記載の発光装置。
（６）
複数の前記発光素子を、前記第１方向において区画するとともに、前記第１方向の前記素子幅を規定する画素規制部を更に備えた
（１）から（５）のいずれか１つに記載の発光装置。
（７）
複数の前記画素の解像度は、１００ｐｐｉ以上となっている
（１）から（６）のいずれか１つに記載の発光装置。
（８）
発光装置を表示装置として備え、
前記発光装置は、複数の副画素からなる複数の画素を有し、
各前記副画素は、
発光色の互いに異なる複数の発光素子と、
所定の間隙を介して各前記発光素子と対向する位置に開口幅の互いに異なる複数の開口部が設けられた遮光膜と
を有し、
各前記開口部の、第１方向および第２方向における開口幅は、各前記発光素子から発せられた光の一部が前記遮光膜によって遮られることに起因して４５°輝度視野角（ｃｄ／ｍ2）が前記第１方向および前記第２方向において互いに異なる大きさとなっており、かつ、４５°色度視野角（ｕ’ｖ’）の、前記第１方向および前記第２方向における色差（Δｕ’ｖ’）が０．０２０以下となるような大きさとなっている
電子機器。
【符号の説明】
【０１０２】
１…発光装置、２…電子機器、１０…発光パネル、１０Ａ…表示領域、１１，１１Ｒ，１１Ｇ，１１Ｂ…画素、１１−１…画素回路、１１−２…発光素子、１２…表示画素、１３…絶縁層、１３Ａ…列規制部、１３Ｂ…行規制部、１３Ｈ…開口部、１４…溝部、１６…基板、１６Ａ…基材、１６Ｂ…配線層、２０…コントローラ、２１…陽極、２２…正孔注入層、２３…正孔輸送層、２４，２４Ｒ，２４Ｇ，２３Ｂ…発光層、２４Ａ…発光領域、２５…電子輸送層、２６…電子注入層、２７…陰極、２８…封止層、３０…ドライバ、３１…水平セレクタ、３２…ライトスキャナ、４０…対向パネル、４１…対向基板、４２…ブラックマトリクス、４３，４３Ｒ，４３Ｇ，４３Ｂ…カラーフィルタ、３１０…筐体、３２０…表示面、４１０…照明部、４２０…天井、４３０…壁、Ｔｒ１…駆動トランジスタ、Ｔｒ２…選択トランジスタ、Ｃｓ…保持容量、ＤＳＬ…電源線、ＤＴＬ…信号線、Ｌ１，Ｌ２，Ｌ３，Ｌ４，Ｌ５，Ｌ６，Ｌ７…長さ、Ｖｇｓ…ゲート−ソース間電圧、Ｖｓｉｇ…信号電圧、ＷＳＬ…選択線、Ｌｒ１，Ｌｒ２，Ｌｇ１，Ｌｇ２，Ｌｂ１，Ｌｂ２…開口差、Ｈｒ，Ｈｇ，Ｈｂ…開口部、Ｗｂｍ＿ｒ，Ｗｂｍ＿ｒ１，Ｗｂｍ＿ｒ２，Ｗｂｍ＿ｇ１，Ｗｂｍ＿ｇ２，Ｗｂｍ＿ｂ１，Ｗｂｍ＿ｂ２，Ｗｅｌ＿ｒ１，Ｗｅｌ＿ｒ２，Ｗｅｌ＿ｇ１，Ｗｅｌ＿ｇ２，Ｗｅｌ＿ｂ１，Ｗｅｌ＿ｂ２…開口幅、Ｌｍａｘ…最大輝度、Ｌｍｉｎ…最小輝度。
【図１】
2020021619.tif 000003
【図２】
2020021619.tif 000004
【図３】
2020021619.tif 000005
【図４】
2020021619.tif 000006
【図５】
2020021619.tif 000007
【図６】
2020021619.tif 000008
【図７】
2020021619.tif 000009
【図８】
2020021619.tif 000010
【図９】
2020021619.tif 000011
【図１０】
2020021619.tif 000012
【図１１】
2020021619.tif 000013
【図１２】
2020021619.tif 000014
【図１３】
2020021619.tif 000015
【図１４】
2020021619.tif 000016
【図１５】
2020021619.tif 000017
【図１６】
2020021619.tif 000018
【図１７】
2020021619.tif 000019
【手続補正書】
【提出日】令和1年9月12日(2019.9.12)
【手続補正１】
【補正対象書類名】特許請求の範囲
【補正対象項目名】全文
【補正方法】変更
【補正の内容】
【特許請求の範囲】
【請求項１】
複数の副画素からなる複数の画素を備え、
各前記副画素は、
発光色の互いに異なる複数の発光素子と、
所定の間隙を介して各前記発光素子と対向する位置に開口幅の互いに異なる複数の開口部が設けられた遮光膜と
を有し、
各前記開口部の、第１方向および第２方向における開口幅は、各前記発光素子から発せられた光の一部が前記遮光膜によって遮られることに起因して４５°輝度視野角（ｃｄ／ｍ2）が前記第１方向および前記第２方向において互いに異なる大きさとなっており、かつ、４５°色度視野角（ｕ’ｖ’）の、前記第１方向および前記第２方向における色差（Δｕ’ｖ’）が０．０２０以下となるような大きさとなっている
発光装置。
【請求項２】
各前記開口部の、前記第１方向および前記第２方向における開口幅は、前記色差が０．００４以下となるような大きさとなっている
請求項１に記載の発光装置。
【請求項３】
各前記開口部の、前記第１方向および前記第２方向における開口幅は、４５°輝度視野角の、以下の式により求められる輝度差ΔＬがいずれかの発光色において３％を超えるような大きさとなっている
請求項１または請求項２に記載の発光装置。
ΔＬ＝（（Ｌｍａｘ−Ｌｍｉｎ）／Ｌｍａｘ）×１００
Ｌｍａｘ：前記第１方向の４５°輝度視野角および前記第２方向の４５°輝度視野角のうち大きい方の値
Ｌｍｉｎ：前記第１方向の４５°輝度視野角および前記第２方向の４５°輝度視野角のうち小さい方の値
【請求項４】
各前記発光素子は、塗布膜によって構成された有機発光層を有する
請求項１から請求項３のいずれか一項に記載の発光装置。
【請求項５】
複数の前記開口部の、前記第１方向および前記第２方向のピッチが一定となっている
請求項１から請求項４のいずれか一項に記載の発光装置。
【請求項６】
複数の前記発光素子を、前記第１方向において区画するとともに、前記第１方向の素子幅を規定する画素規制部を更に備えた
請求項１から請求項５のいずれか一項に記載の発光装置。
【請求項７】
複数の前記画素の解像度は、１００ｐｐｉ以上となっている
請求項１から請求項６のいずれか一項に記載の発光装置。
【請求項８】
発光装置を表示装置として備え、
前記発光装置は、複数の副画素からなる複数の画素を有し、
各前記副画素は、
発光色の互いに異なる複数の発光素子と、
所定の間隙を介して各前記発光素子と対向する位置に開口幅の互いに異なる複数の開口部が設けられた遮光膜と
を有し、
各前記開口部の、第１方向および第２方向における開口幅は、各前記発光素子から発せられた光の一部が前記遮光膜によって遮られることに起因して４５°輝度視野角（ｃｄ／ｍ2）が前記第１方向および前記第２方向において互いに異なる大きさとなっており、かつ、４５°色度視野角（ｕ’ｖ’）の、前記第１方向および前記第２方向における色差（Δｕ’ｖ’）が０．０２０以下となるような大きさとなっている
電子機器。
【手続補正２】
【補正対象書類名】明細書
【補正対象項目名】０００９
【補正方法】変更
【補正の内容】
【０００９】
【図１】本開示の一実施の形態に係る発光装置の概略構成例を表す図である。
【図２】図１の各画素に含まれる１つの副画素の回路構成例を表す図である。
【図３】図１の発光パネルの概略構成例を表す図である。
【図４】積層パネルの、図３の発光パネルのＡ−Ａ線に対応する箇所での断面構成例を表す図である。
【図５】積層パネルの、図３の発光パネルのＢ−Ｂ線に対応する箇所での断面構成例を表す図である。
【図６】積層パネルの、図３の発光パネルのＡ−Ａ線に対応する箇所での断面構成例を表す図である。
【図７】積層パネルの、図３の発光パネルのＢ−Ｂ線に対応する箇所での断面構成例を表す図である。
【図８】積層パネルの、図３の発光パネルのＣ−Ｃ線に対応する箇所での断面構成例を表す図である。
【図９】積層パネルの、図３の発光パネルのＤ−Ｄ線に対応する箇所での断面構成例を表す図である。
【図１０】積層パネルの上面構成例を表す図である。
【図１１】比較例に係る積層パネルの視野角と色変化との関係の一例を表す図である。
【図１２】比較例に係る積層パネルにおける輝度視野角の一例を表す図である。
【図１３】比較例に係る積層パネルにおける４５°色度視野角の等高線マップの一例を表す図である。
【図１４】実施例に係る積層パネルの視野角と色変化との関係の一例を表す図である。
【図１５】実施例に係る積層パネルにおける４５°色度視野角の等高線マップの一例を表す図である。
【図１６】本開示の発光装置を備えた電子機器の外観の一例を斜視的に表す図である。
【図１７】本開示の発光素子を備えた照明装置の外観の一例を斜視的に表す図である。
【手続補正３】
【補正対象書類名】明細書
【補正対象項目名】００２４
【補正方法】変更
【補正の内容】
【００２４】
積層パネルは、行列状に配置された複数の画素１１を有している。積層パネルに設けられた各画素１１には、上述したように、副画素１２Ｒ、副画素１２Ｇおよび副画素１２Ｂが含まれている。なお、各画素１１には、例えば、上述したように、さらに、他の色（例えば、白色や、黄色など）を発する副画素１２が含まれていてもよい。また、各画素１１には、例えば、同色の複数の副画素１２（例えば、緑色光を発する２つの副画素１２Ｇ）が含まれていてもよい。
【手続補正４】
【補正対象書類名】明細書
【補正対象項目名】００４１
【補正方法】変更
【補正の内容】
【００４１】
陽極２１は、例えば、基板１６の上に形成されている。陽極２１は、例えば、アルミニウム（Ａｌ）、銀（Ａｇ）、アルミニウムもしくは銀の合金等、または、反射性を有する反射電極である。なお、陽極２１は、反射電極に限るものではなく、例えば、透光性を有する透明電極であってもよい。透明電極の材料としては、例えば、ＩＴＯ（Ｉｎｄｉｕｍ  Ｔｉｎ  Ｏｘｉｄｅ）又はＩＺＯ（Ｉｎｄｉｕｍ  Ｚｉｎｃ  Ｏｘｉｄｅ）等の透明導電性材料が挙げられる。陽極２１は、反射電極と透明電極とが積層されたものであってもよい。陽極２１の端縁は、例えば、絶縁層１４内に埋め込まれている。陽極２１の端縁が絶縁層１４内に埋め込まれている場合には、各開口１３Ｈの大きさ（具体的には、各開口１３Ｈの底面の大きさ）を変えることにより、画素１１のサイズ（面積）や、発光領域２４Ａのサイズ（面積）を調整することが可能となる。
【手続補正５】
【補正対象書類名】明細書
【補正対象項目名】００５３
【補正方法】変更
【補正の内容】
【００５３】
電子注入層２６は、陰極２７から注入された電子を電子輸送層２５、発光層２４へ注入する機能を有する。電子注入層２６は、例えば、陰極２７から電子輸送層２５、発光層２４への電子の注入を促進させる機能を有する材料（電子注入性材料）によって構成されている。上記の電子注入性材料は、例えば、電子注入性を有する有機材料に、電子注入性を有する金属がドープされたものであってもよい。電子注入層２６に含まれるドープ金属は、例えば、電子輸送層２５に含まれるドープ金属と同じ金属である。電子注入層２６は、例えば、蒸着膜またはスパッタ膜で構成されている
【手続補正６】
【補正対象書類名】明細書
【補正対象項目名】００６０
【補正方法】変更
【補正の内容】
【００６０】
対向パネル４０は、発光パネル１０と所定の間隙を介して対向配置されている。対向パネル４０と発光パネル１０との間の間隙は、例えば、透光性の樹脂（例えば封止層２８）で充填されている。対向パネル４０は、例えば、支持基板４１と、支持基板４１の、発光パネル１０側の表面に接するブラックマトリクス４２（遮光膜）およびカラーフィルタ４３とを有している。ブラックマトリクス４２は、例えば、光吸収性を有する材料、または、反射を抑制する材料によって形成されている。ブラックマトリクス４２は、後述するように、複数の開口部Ｈｒ，Ｈｇ，Ｈｂを有している。カラーフィルタ４３は、少なくとも、開口部Ｈｒ，Ｈｇ，Ｈｂ内に設けられている。カラーフィルタ４３は、開口部Ｈｒ内に赤色光を選択的に透過するカラーフィルタ４３Ｒを有しており、開口部Ｈｇ内に緑色光を選択的に透過するカラーフィルタ４３Ｇを有しており、開口部Ｈｂ内に青色光を選択的に透過するカラーフィルタ４３Ｂを有している。
【手続補正７】
【補正対象書類名】明細書
【補正対象項目名】００６３
【補正方法】変更
【補正の内容】
【００６３】
各開口部Ｈｒ，Ｈｇ，Ｈｂの、行方向における開口幅Ｗｂｍ＿ｒ１，Ｗｂｍ＿ｇ１，Ｗｂｍ＿ｂ１は、各発光素子１２−２（発光層２４）から発せられた光の一部がブラックマトリクス４２によって遮られることに起因して４５°輝度視野角（ｃｄ／ｍ2）が行方向において互いに異なる大きさとなっており、かつ、４５°色度視野角（ｕ’ｖ’）の、行方向における色差（Δｕ’ｖ’）が０．０２０以下となるような大きさとなっている。同様に、各開口部Ｈｒ，Ｈｇ，Ｈｂの、列方向における開口幅Ｗｂｍ＿ｒ２，Ｗｂｍ＿ｇ２，Ｗｂｍ＿ｂ２は、各発光素子１２−２（発光層２４）から発せられた光の一部がブラックマトリクス４２によって遮られることに起因して４５°輝度視野角（ｃｄ／ｍ2）が列方向において互いに異なる大きさとなっており、かつ、４５°色度視野角（ｕ’ｖ’）の、列方向における色差（Δｕ’ｖ’）が０．０２０、０．０１０、または、０．００４以下となるような大きさとなっている。
【手続補正８】
【補正対象書類名】明細書
【補正対象項目名】００７８
【補正方法】変更
【補正の内容】
【００７８】
さらに、赤色の副画素では、最大方向の輝度視野角特性と、最小方向の輝度視野角特性との差が、７．１％となっており、緑色の副画素では、最大方向の輝度視野角特性と、最小方向の輝度視野角特性との差が、４．４％となっており、青色の副画素では、最大方向の輝度視野角特性と、最小方向の輝度視野角特性との差が、２．９％となっている。従って、赤色および緑色の副画素では、青色の副画素と比べて、輝度視野角特性が積層パネルを視認する方向によって大きく異なっているのがわかる。
【手続補正９】
【補正対象書類名】明細書
【補正対象項目名】００８０
【補正方法】変更
【補正の内容】
【００８０】
そこで、本実施の形態では、ブラックマトリクス４２の開口部Ｈｒ，Ｈｇ，Ｈｂの開口幅（Ｗｂｍ＿ｒ１，Ｗｂｍ＿ｇ１，Ｗｂｍ＿ｂ１，Ｗｂｍ＿ｒ２，Ｗｂｍ＿ｇ２，Ｗｂｍ＿ｂ２）と、発光素子１２−２の素子幅（Ｗｅｌ＿ｒ１,Ｗｅｌ＿ｇ１,Ｗｅｌ＿ｂ１,Ｗｅｌ＿ｒ２,Ｗｅｌ＿ｇ２,Ｗｅｌ＿ｂ２）との関係を、単色の輝度視野角（ｃｄ／ｍ2）の最大値と最小値のケラレの影響の大きさに応じて設定する。具体的には、ケラレの影響が大きい場合には、ブラックマトリクス４２の開口部Ｈｒ，Ｈｇ，Ｈｂの開口幅と、発光素子１２−２の素子幅との差を大きく設定して、ケラレが発生しにくい状態にし、ケラレの影響が少ない場合には、ラックマトリクス４２の開口部Ｈｒ，Ｈｇ，Ｈｂの開口幅と、発光素子１２−２の素子幅との差を小さく設定して、ケラレが発生しやすい状態にする。このようにすることで、各色のバランスを制御して、視野角による色の変化を少なくし、各方位の色度視野角（ｕ’ｖ’）の最適点を一致させることで、画品位の改善と生産性の向上を図る。
【手続補正１０】
【補正対象書類名】明細書
【補正対象項目名】００８２
【補正方法】変更
【補正の内容】
【００８２】
例えば、各発光素子１２−２の、行方向の素子幅を３０μｍとし、各発光素子１２−２の、列方向の素子幅を９０μｍとする。さらに、ブラックマトリクス４２の開口部Ｈｒの、行方向の開口幅を３９μｍとし、ブラックマトリクス４２の開口部Ｈｇの、行方向の開口幅を３７μｍとし、ブラックマトリクス４２の開口部Ｈｂの、行方向の開口幅を３５．５μｍとし、ブラックマトリクス４２の各開口部Ｈｒ，Ｈｇ，Ｈｂの、列方向の開口幅を９０μｍとする。このときの視野角と色差との関係を図１４に示す。図１４によると、色差Δｕ’ｖ’が、垂直方向（視認方向：０度、２７０度）と、水平方向（視認方向：９０度、１８０度）とでほぼ等しくなっていることがわかる。これは、図１３の下段に示したように、ブラックマトリクス４２の開口幅を調整することで、４５°色度視野角（ｕ’ｖ’）の最適中心が、ケラレありとなしとで同じ位置になっていることに起因している。なお、ブラックマトリクス４２の開口幅の調整方法は、上記の方法に限定されるものではない。
【手続補正１１】
【補正対象書類名】明細書
【補正対象項目名】００９０
【補正方法】変更
【補正の内容】
【００９０】
また、本実施の形態において、各開口部Ｈｒ，Ｈｇ，Ｈｂの、行方向および列方向における開口幅（Ｗｂｍ＿ｒ１，Ｗｂｍ＿ｇ１，Ｗｂｍ＿ｂ１，Ｗｂｍ＿ｒ２，Ｗｂｍ＿ｇ２，Ｗｂｍ＿ｂ２）は、４５°輝度視野角（ｃｄ／ｍ2）の、上記の式（１）により求められる輝度差ΔＬがいずれかの発光色において３％を超えるような大きさとなっている場合であっても、ブラックマトリクス４２の開口部Ｈｒ，Ｈｇ，Ｈｂの開口幅（Ｗｂｍ＿ｒ１，Ｗｂｍ＿ｇ１，Ｗｂｍ＿ｂ１，Ｗｂｍ＿ｒ２，Ｗｂｍ＿ｇ２，Ｗｂｍ＿ｂ２）と、発光素子１２−２の素子幅（Ｗｅｌ＿ｒ１,Ｗｅｌ＿ｇ１,Ｗｅｌ＿ｂ１,Ｗｅｌ＿ｒ２,Ｗｅｌ＿ｇ２,Ｗｅｌ＿ｂ２）との関係を、単色の輝度視野角（ｃｄ／ｍ2）の最大値と最小値のケラレの影響の大きさに応じて設定することにより、各色のバランスを制御して、視野角による色の変化を少なくし、各方位の色度視野角（ｕ’ｖ’）の最適点を一致させることができる。従って、画品位の改善と生産性の向上を図ることができる。
【手続補正１２】
【補正対象書類名】明細書
【補正対象項目名】００９１
【補正方法】変更
【補正の内容】
【００９１】
また、本実施の形態では、各発光素子１２−２が、塗布膜によって構成された発光層２４を有している。ここで、各発光素子１２−２の素子幅（Ｗｅｌ＿ｒ１，Ｗｅｌ＿ｇ１，Ｗｅｌ＿ｂ１，Ｗｅｌ＿ｒ２，Ｗｅｌ＿ｇ２，Ｗｅｌ＿ｂ２）が絶縁層１３によって規定されている。そのため、絶縁層１３による濡れ上がりの影響により、発光層２４の膜厚分布が不均一となる。そのため、上述したマイクロキャビティの影響により、発光層２４の膜厚が共振条件から外れている部分の光を外部に取り出すことができなくなり、発光領域２４Ａの大きさは、副画素１２Ｒ，１２Ｇ，１２Ｂごとに異なってしまう。その結果、各発光素子１２−２の、行方向の幅（Ｗｅｌ＿ｒ１，Ｗｅｌ＿ｇ１，Ｗｅｌ＿ｂ１）を互いに等しくし、ブラックマトリクス４２の各開口部Ｈｒ，Ｈｇ，Ｈｂの開口幅（Ｗｂｍ＿ｒ１，Ｗｂｍ＿ｇ１，Ｗｂｍ＿ｂ１，Ｗｂｍ＿ｒ２，Ｗｂｍ＿ｇ２，Ｗｂｍ＿ｂ２）を互いに等しくした場合には、色度視野角（ｕ’ｖ’）の、視認方向によるズレが生じてしまう。一方、本実施の形態では、ブラックマトリクス４２の開口部Ｈｒ，Ｈｇ，Ｈｂの開口幅（Ｗｂｍ＿ｒ１，Ｗｂｍ＿ｇ１，Ｗｂｍ＿ｂ１，Ｗｂｍ＿ｒ２，Ｗｂｍ＿ｇ２，Ｗｂｍ＿ｂ２）と、発光素子１２−２の素子幅（Ｗｅｌ＿ｒ１,Ｗｅｌ＿ｇ１,Ｗｅｌ＿ｂ１,Ｗｅｌ＿ｒ２,Ｗｅｌ＿ｇ２,Ｗｅｌ＿ｂ２）との関係を、単色の輝度視野角（ｃｄ／ｍ2）の最大値と最小値のケラレの影響の大きさに応じて設定することにより、各色のバランスを制御して、視野角による色の変化を少なくし、各方位の色度視野角（ｕ’ｖ’）の最適点を一致させることができる。従って、各発光素子１２−２が、塗布膜によって構成された発光層２４を有している場合であっても、画品位の改善と生産性の向上を図ることができる。
【手続補正１３】
【補正対象書類名】明細書
【補正対象項目名】００９３
【補正方法】変更
【補正の内容】
【００９３】
また、本実施の形態では、列規制部１３Ａによって、複数の発光素子１２−２が、行方向において区画されている場合には、列規制部１３Ａによる濡れ上がりの影響により、発光層２４の行方向における膜厚分布が、発光層２４の列方向における膜厚分布よりも不均一となる。そのため、上述したマイクロキャビティの影響により、発光層２４の膜厚が共振条件から外れている部分の光を外部に取り出すことができなくなり、発光領域２４Ａの大きさは、副画素１２Ｒ，１２Ｇ，１２Ｂごとに異なってしまう。その結果、各発光素子１２−２の、行方向の幅（Ｗｅｌ＿ｒ１，Ｗｅｌ＿ｇ１，Ｗｅｌ＿ｂ１）を互いに等しくし、ブラックマトリクス４２の各開口部Ｈｒ，Ｈｇ，Ｈｂの開口幅（Ｗｂｍ＿ｒ１，Ｗｂｍ＿ｇ１，Ｗｂｍ＿ｂ１，Ｗｂｍ＿ｒ２，Ｗｂｍ＿ｇ２，Ｗｂｍ＿ｂ２）を互いに等しくした場合には、色度視野角（ｕ’ｖ’）の、視認方向によるズレが生じてしまう。一方、本実施の形態では、ブラックマトリクス４２の開口部Ｈｒ，Ｈｇ，Ｈｂの開口幅（Ｗｂｍ＿ｒ１，Ｗｂｍ＿ｇ１，Ｗｂｍ＿ｂ１，Ｗｂｍ＿ｒ２，Ｗｂｍ＿ｇ２，Ｗｂｍ＿ｂ２）と、発光素子１２−２の素子幅（Ｗｅｌ＿ｒ１,Ｗｅｌ＿ｇ１,Ｗｅｌ＿ｂ１,Ｗｅｌ＿ｒ２,Ｗｅｌ＿ｇ２,Ｗｅｌ＿ｂ２）との関係を、単色の輝度視野角（ｃｄ／ｍ2）の最大値と最小値のケラレの影響の大きさに応じて設定することにより、各色のバランスを制御して、視野角による色の変化を少なくし、各方位の色度視野角（ｕ’ｖ’）の最適点を一致させることができる。従って、列規制部１３Ａによって、複数の発光素子１２−２が、行方向において区画されている場合であっても、画品位の改善と生産性の向上を図ることができる。
【手続補正１４】
【補正対象書類名】明細書
【補正対象項目名】００９４
【補正方法】変更
【補正の内容】
【００９４】
また、本実施の形態では、複数の画素１１の解像度が、１００ｐｐｉ以上、１２０ｐｐｉ以上、もしくは１５０ｐｐｉ以上となっている。これにより、ブラックマトリクス４２でのケラレ（遮光）をなくすことがそもそも難しいという、低精細のときには起こり得ない状況下で、ブラックマトリクス４２の開口部Ｈｒ，Ｈｇ，Ｈｂの開口幅（Ｗｂｍ＿ｒ１，Ｗｂｍ＿ｇ１，Ｗｂｍ＿ｂ１，Ｗｂｍ＿ｒ２，Ｗｂｍ＿ｇ２，Ｗｂｍ＿ｂ２）と、発光素子１２−２の素子幅（Ｗｅｌ＿ｒ１,Ｗｅｌ＿ｇ１,Ｗｅｌ＿ｂ１,Ｗｅｌ＿ｒ２,Ｗｅｌ＿ｇ２,Ｗｅｌ＿ｂ２）との関係を、単色の輝度視野角（ｃｄ／ｍ2）の最大値と最小値のケラレの影響の大きさに応じて設定することにより、各色のバランスを制御して、視野角による色の変化を少なくし、各方位の色度視野角（ｕ’ｖ’）の最適点を一致させることができる。従って、複数の画素１１の解像度が、１００ｐｐｉ以上、１２０ｐｐｉ以上、もしくは１５０ｐｐｉ以上となっている場合であっても、画品位の改善と生産性の向上を図ることができる。
【手続補正１５】
【補正対象書類名】明細書
【補正対象項目名】０１０１
【補正方法】変更
【補正の内容】
【０１０１】
また、例えば、本開示は以下のような構成を取ることができる。
（１）
複数の副画素からなる複数の画素を備え、
各前記副画素は、
発光色の互いに異なる複数の発光素子と、
所定の間隙を介して各前記発光素子と対向する位置に開口幅の互いに異なる複数の開口部が設けられた遮光膜と
を有し、
各前記開口部の、第１方向および第２方向における開口幅は、各前記発光素子から発せられた光の一部が前記遮光膜によって遮られることに起因して４５°輝度視野角（ｃｄ／ｍ2）が前記第１方向および前記第２方向において互いに異なる大きさとなっており、かつ、４５°色度視野角（ｕ’ｖ’）の、前記第１方向および前記第２方向における色差（Δｕ’ｖ’）が０．０２０以下となるような大きさとなっている
発光装置。
（２）
各前記開口部の、前記第１方向および前記第２方向における開口幅は、前記色差が０．００４以下となるような大きさとなっている
（１）に記載の発光装置。
（３）
各前記開口部の、前記第１方向および前記第２方向における開口幅は、４５°輝度視野角の、以下の式により求められる輝度差ΔＬがいずれかの発光色において３％を超えるような大きさとなっている
（１）または（２）に記載の発光装置。
ΔＬ＝（（Ｌｍａｘ−Ｌｍｉｎ）／Ｌｍａｘ）×１００
Ｌｍａｘ：前記第１方向の４５°輝度視野角および前記第２方向の４５°輝度視野角のうち大きい方の値
Ｌｍｉｎ：前記第１方向の４５°輝度視野角および前記第２方向の４５°輝度視野角のうち小さい方の値
（４）
各前記発光素子は、塗布膜によって構成された有機発光層を有する
（１）から（３）のいずれか１つに記載の発光装置。
（５）
複数の前記開口部の、前記第１方向および前記第２方向のピッチが一定となっている
（１）から（４）のいずれか１つに記載の発光装置。
（６）
複数の前記発光素子を、前記第１方向において区画するとともに、前記第１方向の素子幅を規定する画素規制部を更に備えた
（１）から（５）のいずれか１つに記載の発光装置。
（７）
複数の前記画素の解像度は、１００ｐｐｉ以上となっている
（１）から（６）のいずれか１つに記載の発光装置。
（８）
発光装置を表示装置として備え、
前記発光装置は、複数の副画素からなる複数の画素を有し、
各前記副画素は、
発光色の互いに異なる複数の発光素子と、
所定の間隙を介して各前記発光素子と対向する位置に開口幅の互いに異なる複数の開口部が設けられた遮光膜と
を有し、
各前記開口部の、第１方向および第２方向における開口幅は、各前記発光素子から発せられた光の一部が前記遮光膜によって遮られることに起因して４５°輝度視野角（ｃｄ／ｍ2）が前記第１方向および前記第２方向において互いに異なる大きさとなっており、かつ、４５°色度視野角（ｕ’ｖ’）の、前記第１方向および前記第２方向における色差（Δｕ’ｖ’）が０．０２０以下となるような大きさとなっている
電子機器。